(57)【要約】液晶表示装置１０は、複数の画素部ＰＸＲ，ＰＸＧ，ＰＸＢを有する液晶パネル１１と、照明光を基準白色光とするのに要する複数の色の光に係る各発光量を基準としたとき、複数の色の光に含まれる第１の色の光に係る発光量が選択的に多くなるよう構成されるバックライト装置１２と、白色表示時には複数の画素部ＰＸＲ，ＰＸＧ，ＰＸＢのうち赤色を呈する赤色画素部ＰＸＲの階調値が他の色を呈する画素部ＰＸＧ，ＰＸＢの階調値よりも小さくなり、赤色の表示時には他の色を呈する画素部ＰＸＧ，ＰＸＢの階調値が白色表示時よりも小さく赤色画素部ＰＸＲの階調値が白色表示時よりも大きくなるよう制御するコントロール基板ＣＴＲと、を備える。
2017002781.tif 000002
【特許請求の範囲】
【請求項１】
異なる色を呈する複数の画素部を有する表示パネルと、
異なる色を呈する複数の色の光を含む照明光を前記表示パネルに照射する照明装置であって、前記照明光を基準白色光とするのに要する前記複数の色の光に係る各発光量を基準としたとき、前記複数の色の光に含まれる第１の色の光に係る発光量が選択的に多くなるよう構成される照明装置と、
白色表示時には前記複数の画素部のうち前記第１の色を呈する第１の画素部の階調値が他の色を呈する画素部の階調値よりも小さくなり、前記第１の色の表示時には前記他の色を呈する画素部の階調値が前記白色表示時よりも小さく前記第１の画素部の階調値が前記白色表示時よりも大きくなるよう制御する画素制御部と、を備える表示装置。
【請求項２】
前記表示パネルは、前記複数の画素部が、赤色を呈する赤色画素部、緑色を呈する緑色画素部、及び青色を呈する青色画素部を少なくとも含むよう構成されており、
前記照明装置は、前記複数の色の光に赤色の光、緑色の光、及び青色の光を少なくとも含むとともに前記第１の色の光が前記赤色の光とされ、前記画素制御部は、前記赤色画素部を前記第１の画素部として制御している請求項１記載の表示装置。
【請求項３】
前記照明装置は、前記照明光を前記基準白色光とするのに要する前記複数の色の光に係る各発光量をそれぞれ１００％としたとき、前記第１の色の光に係る発光量が１０７％以上となるよう構成される請求項１または請求項２記載の表示装置。
【請求項４】
前記表示パネルは、前記複数の画素部が４つ以上の異なる色を呈するよう構成されている請求項１から請求項３のいずれか１項に記載の表示装置。
【請求項５】
前記照明装置は、前記照明光を前記基準白色光とするのに要する前記複数の色の光に係る各発光量をそれぞれ１００％としたとき、前記第１の色の光に係る発光量が１２５％〜２２０％の範囲となるよう構成される請求項４記載の表示装置。
【請求項６】
前記表示パネルは、前記複数の画素部が、赤色を呈する赤色画素部、緑色を呈する緑色画素部、青色を呈する青色画素部、及び黄色を呈する黄色画素部を少なくとも含むよう構成されており、
前記照明装置は、前記複数の色の光に赤色の光、緑色の光、及び青色の光を少なくとも含むとともに前記第１の色の光が前記赤色の光とされ、前記画素制御部は、前記赤色画素部を前記第１の画素部として制御している請求項４または請求項５記載の表示装置。
【請求項７】
前記照明装置は、光を発する発光素子と、前記発光素子からの光を波長変換する蛍光体と、を有するとともに、前記蛍光体には、前記第１の色の光を発する第１の蛍光体が少なくとも含まれており、
前記照明装置は、前記照明光を基準白色光とするために要する前記蛍光体に係る含有量を基準としたとき、前記第１の蛍光体に係る含有量が相対的に多くなるよう構成される請求項１から請求項６のいずれか１項に記載の表示装置。
【請求項８】
前記照明装置は、前記発光素子と、前記発光素子を収容するケースと、前記発光素子を前記ケース内に封止して前記蛍光体が含有される封止材と、から構成される光源を少なくとも有する請求項７記載の表示装置。
【請求項９】
前記光源は、前記第１の蛍光体が、付活剤としてマンガンを用いたケイフッ化カリウムとなるよう構成される請求項８記載の表示装置。
【請求項１０】
前記照明装置は、前記発光素子を有する光源と、前記蛍光体を含有していて前記光源に対して出光経路の出口側に配されて前記光源の光を波長変換する波長変換部材と、を少なくとも有する請求項７記載の表示装置。
【請求項１１】
前記蛍光体は、量子ドット蛍光体とされる請求項１０記載の表示装置。
【請求項１２】
前記照明装置は、前記複数の色の光をそれぞれ発する複数の発光素子を少なくとも有しており、
前記照明装置は、前記照明光を基準白色光とするために要する前記複数の発光素子に係る各発光量を基準としたとき、前記第１の色の光を発する第１の発光素子に係る発光量が相対的に多くなるよう構成される請求項１から請求項６のいずれか１項に記載の表示装置。
【請求項１３】
請求項１から請求項１２のいずれか１項に記載の表示装置を備えるテレビ受信装置。
【発明の詳細な説明】
【技術分野】
【０００１】
本発明は、表示装置及びテレビ受信装置に関する。
【背景技術】
【０００２】
従来の液晶表示装置の一例として下記特許文献１に記載されたものが知られている。この特許文献１に記載された液晶表示装置は、Ｂ蛍光体およびＧ蛍光体を塗布しＲ蛍光体を除いたＣＣＦＬ管と、６２０〜６５０ｎｍに単一スペクトルのピークＰＲ３を有する光を発するＲ色ＬＥＤとを組み合わせたものを液晶パネルに照明光を照射する光源装置として用いている。この光源装置によれば、従来のＣＣＦＬ管において問題であったＲ蛍光体による５９５ｎｍの副スペクトルの影響を解消して色域が拡大される。また、５１０〜５２０ｎｍに単一スペクトルのピークを有する光を発するＧ蛍光体を用いることで、従来のＧ蛍光体による５８０ｎｍの副スペクトルに起因する悪影響を軽減し、色域を拡大する。
【先行技術文献】
【特許文献】
【０００３】
【特許文献１】特開２００７−５２３９８号公報
【０００４】
（発明が解決しようとする課題）
ところで、近年では、４Ｋテレビや８Ｋテレビなどに用いられる液晶表示装置においては、高精細化に加えて色再現範囲の拡大が一層高いレベルで求められる傾向にある。このような要請に応えるには、例えばカラーフィルタの膜厚を増すといった対策が考えられるが、そうすると光がカラーフィルタによってより多く吸収されるため、光の利用効率が低下する問題が生じるおそれがあった。
【発明の概要】
【０００５】
本発明は上記のような事情に基づいて完成されたものであって、光の利用効率を高く維持しつつ色再現性を向上させることを目的とする。
【０００６】
（課題を解決するための手段）
本発明の表示装置は、異なる色を呈する複数の画素部を有する表示パネルと、異なる色を呈する複数の色の光を含む照明光を前記表示パネルに照射する照明装置であって、前記照明光を基準白色光とするのに要する前記複数の色の光に係る各発光量を基準としたとき、前記複数の色の光に含まれる第１の色の光に係る発光量が選択的に多くなるよう構成される照明装置と、白色表示時には前記複数の画素部のうち前記第１の色を呈する第１の画素部の階調値が他の色を呈する画素部の階調値よりも小さくなり、前記第１の色の表示時には前記他の色を呈する画素部の階調値が前記白色表示時よりも小さく前記第１の画素部の階調値が前記白色表示時よりも大きくなるよう制御する画素制御部と、を備える。
【０００７】
このような構成によれば、照明装置から発せられた複数の光を含む照明光が、表示パネルに有される複数の画素部をその階調値に応じて透過されることで複数の画素部が異なる色を呈し、もって所定の画像が表示される。照明装置の照明光は、基準白色光よりも第１の色の色味がかかった光となるため、表示パネルにおいて白色表示時には画素制御部により第１の色を呈する第１の画素部の階調値が、他の色を呈する画素部の階調値よりも小さくなるよう制御されることで、白色の表示を行うことができる。一方、表示パネルにおいて第１の色の表示時には画素制御部により他の色を呈する画素部の階調値が白色表示時よりも小さく第１の画素部の階調値が白色表示時よりも大きくなるよう制御される。これにより、第１の色の表示時における第１の色に係る輝度が高くなるとともにその色再現範囲が広いものとなる。
【０００８】
本発明の実施態様として、次の構成が好ましい。
（１）前記表示パネルは、前記複数の画素部が、赤色を呈する赤色画素部、緑色を呈する緑色画素部、及び青色を呈する青色画素部を少なくとも含むよう構成されており、前記照明装置は、前記複数の色の光に赤色の光、緑色の光、及び青色の光を少なくとも含むとともに前記第１の色の光が前記赤色の光とされ、前記画素制御部は、前記赤色画素部を前記第１の画素部として制御している。このようにすれば、赤色表示時における赤色に係る輝度が高くなるとともにその色再現範囲が広いものとなる。赤色は、他の色に比べると、色再現範囲の拡張が人間により認識され易い傾向があることから、画像に係る表示品位の向上を図る上でより好適とされる。
【０００９】
（２）前記照明装置は、前記照明光を前記基準白色光とするのに要する前記複数の色の光に係る各発光量をそれぞれ１００％としたとき、前記第１の色の光に係る発光量が１０７％以上となるよう構成される。このようにすれば、第１の色の表示時における第１の色に係る輝度に関して、仮に照明光を基準白色光とした場合の第１の色の光に係る発光量に基づく輝度を１００％としたとき、１０５％以上の輝度向上効果が得られる。
【００１０】
（３）前記表示パネルは、前記複数の画素部が４つ以上の異なる色を呈するよう構成されている。このようにすれば、仮に画素部が３つの異なる色を呈する構成とした場合に比べると、各画素部の面積比率が低くなるので、照明装置の照明光に含まれる第１の色の光に係る発光量が多くされるのに伴う、第１の色の表示時における第１の色に係る輝度の増加率が相対的に大きくなる。
【００１１】
（４）前記照明装置は、前記照明光を前記基準白色光とするのに要する前記複数の色の光に係る各発光量をそれぞれ１００％としたとき、前記第１の色の光に係る発光量が１２５％〜２２０％の範囲となるよう構成される。仮に第１の色の光に係る発光量が１２５％を下回る場合には、第１の色の表示時における輝度の改善効果が、画素部が３つの異なる色を呈する構成とした場合と同等程度となるおそれがあり、逆に第１の色の光に係る発光量が２２０％を上回る場合には、白色表示時における輝度効率が著しく低下するおそれがある。その点、第１の色の光に係る発光量を１２５％〜２２０％の範囲とすることで、第１の色の表示時における輝度の改善効果が、画素部が３つの異なる色を呈する構成とした場合を上回るとともに、白色表示時における輝度効率の著しい低下を避けることができる。
【００１２】
（５）前記表示パネルは、前記複数の画素部が、赤色を呈する赤色画素部、緑色を呈する緑色画素部、青色を呈する青色画素部、及び黄色を呈する黄色画素部を少なくとも含むよう構成されており、前記照明装置は、前記複数の色の光に赤色の光、緑色の光、及び青色の光を少なくとも含むとともに前記第１の色の光が前記赤色の光とされ、前記画素制御部は、前記赤色画素部を前記第１の画素部として制御している。このような構成の表示パネルでは、複数の画素部を構成する黄色画素部が、黄色の光、つまり緑色の光と赤色の光とを透過するものとされる。照明装置の照明光は、基準白色光よりも第１の色である赤色の色味がかかった光となっていることから、仮に基準白色光を用いた場合に比べると、黄色の表示時における黄色に係る色度が赤色寄りにシフトすることになる。これにより、色再現範囲を拡張する上でより好適となる。
【００１３】
（６）前記照明装置は、光を発する発光素子と、前記発光素子からの光を波長変換する蛍光体と、を有するとともに、前記蛍光体には、前記第１の色の光を発する第１の蛍光体が少なくとも含まれており、前記照明装置は、前記照明光を基準白色光とするために要する前記蛍光体に係る含有量を基準としたとき、前記第１の蛍光体に係る含有量が相対的に多くなるよう構成される。このようにすれば、発光素子から光が発せられると少なくともその一部が蛍光体によって波長変換されることで、照明装置の照明光が得られる。そして、蛍光体に含まれる第１の蛍光体に係る含有量が、照明光を基準白色光とするために要する蛍光体に係る含有量の基準値よりも多くなっているので、第１の蛍光体から発せられる第１の色の光の発光量が、照明光を基準白色光とするのに要する複数の色の光に係る各発光量の基準値よりも多くなる。このように、発光素子の発光量に関して複雑な制御をせずとも、目的とする照明光を容易に得られる。
【００１４】
（７）前記照明装置は、前記発光素子と、前記発光素子を収容するケースと、前記発光素子を前記ケース内に封止して前記蛍光体が含有される封止材と、から構成される光源を少なくとも有する。このようにすれば、発光素子をケース内に封止する封止材に含有される蛍光体によって発光素子から発せられた光の少なくとも一部が励起光として利用される。
【００１５】
（８）前記光源は、前記第１の蛍光体が、付活剤としてマンガンを用いたケイフッ化カリウムとなるよう構成される。このようにすれば、第１の蛍光体であるケイフッ化カリウムにおける発光スペクトルに含まれるメインピークの半値幅が十分に狭くなることで色純度の高い赤色光を発することができる。しかも、ケイフッ化カリウムには、材料として高価な希土類元素が用いられていないので、光源に係る製造コストが安価なものとなる。また、ケイフッ化カリウムは、吸湿などにより性能劣化が生じ難いものとされているから、発光素子をケース内に封止する封止材に含有させる構成を採る上で好適とされる。
【００１６】
（９）前記照明装置は、前記発光素子を有する光源と、前記蛍光体を含有していて前記光源に対して出光経路の出口側に配されて前記光源の光を波長変換する波長変換部材と、を少なくとも有する。このようにすれば、光源に対して出光経路の出口側に配される波長変換部材に蛍光体が含有されているので、光源の発光素子から発せられる熱によって蛍光体が性能劣化し難いものとなる。また、波長変換部材に蛍光体を含有させるに際して、例えば蛍光体を高いシール性でもって封止する手段を採るのが容易となるので、吸湿などによる性能劣化が懸念される蛍光体を使用する上で好適となる。
【００１７】
（１０）前記蛍光体は、量子ドット蛍光体とされる。このようにすれば、波長変換部材による光の波長変換効率がより高いものとなるとともに、波長変換された光の色純度が高いものとなる。また、例えば波長変換部材に量子ドット蛍光体を高いシール性でもって封止する手段を採るようにすれば、量子ドット蛍光体が吸湿などによって性能劣化し難いものとなって好適である。
【００１８】
（１１）前記照明装置は、前記複数の色の光をそれぞれ発する複数の発光素子を少なくとも有しており、前記照明装置は、前記照明光を基準白色光とするために要する前記複数の発光素子に係る各発光量を基準としたとき、前記第１の色の光を発する第１の発光素子に係る発光量が相対的に多くなるよう構成される。このようにすれば、複数の発光素子から発せられる複数の色の光によって照明装置の照明光が構成される。そして、複数の発光素子に含まれる第１の発光素子に係る発光量が、照明光を基準白色光とするために要する各発光素子に係る各発光量の基準値よりも多くなっている。仮に、照明装置が、１つの発光素子と、発光素子の光を波長変換する蛍光体と、からなる光源を備える構成とした場合に比べると、各発光素子から発せられる各色の光に係る色純度がより高いものとなり、色再現性の向上を図る上で好適とされる。
【００１９】
次に、上記課題を解決するために、本発明のテレビ受信装置は、上記記載の表示装置を備える。このような構成のテレビ受信装置によれば、第１の色の表示時における第１の色に係る輝度が高くなるとともに色再現範囲が広いものとなっているから、表示品位に優れたテレビ画像の表示を実現することができる。
【００２０】
（発明の効果）
本発明によれば、光の利用効率を高く維持しつつ色再現性を向上させることができる。
【図面の簡単な説明】
【００２１】
【図１】本発明の実施形態１に係るテレビ受信装置の概略構成を示す分解斜視図
【図２】テレビ受信装置が備える液晶表示装置の概略構成を示す分解斜視図
【図３】液晶表示装置に備えられる液晶パネルの長辺方向に沿った断面構成を示す断面図
【図４】液晶パネルを構成するアレイ基板の表示領域における平面構成を示す拡大平面図
【図５】液晶パネルを構成するＣＦ基板の表示領域における平面構成を示す拡大平面図
【図６】液晶表示装置に備わるバックライト装置の平面図
【図７】液晶表示装置を長辺方向に沿って切断した断面構成を示す断面図
【図８】液晶表示装置を短辺方向に沿って切断した断面構成を示す断面図
【図９】液晶表示装置の端部を長辺方向に沿って切断した断面構成を示す断面図
【図１０】ＬＥＤ及びＬＥＤ基板の断面図
【図１１】液晶パネルの駆動に係る構成を表すブロック図
【図１２】ＬＥＤの発光スペクトルを表すグラフ
【図１３】各色の表示時における各色の画素部の階調値を示す表
【図１４】赤色表示時における液晶パネルの透過スペクトルを表すグラフ
【図１５】比較実験１に係る赤色蛍光体の相対含有量と、白色表示時の相対輝度、赤色表示時の相対輝度、及び赤色表示時の色度と、を示す表
【図１６】比較実験１に係る赤色蛍光体の相対含有量に対する白色表示時の輝度及び赤色表示時の相対輝度の関係を表すグラフ
【図１７】比較実験１に係る赤色蛍光体の相対含有量を変化させたときの赤色表示時の赤色色度の推移を示すＣＩＥ１９３１色度図
【図１８】比較実験１に係る赤色蛍光体の相対含有量を１００％，１８０％としたときの各色の色度を示す表
【図１９】比較実験１に係る赤色蛍光体の相対含有量を１００％，１８０％としたときの各色度領域を示すＣＩＥ１９７６色度図
【図２０】スペクトル軌跡及び純紫軌跡と、マックアダムの楕円と、を示すＣＩＥ１９３１色度図
【図２１】本発明の実施形態２に係るテレビ受信装置の概略構成を示す分解斜視図
【図２２】液晶パネルの長辺方向に沿った断面構成を示す断面図
【図２３】アレイ基板の表示領域における平面構成を示す拡大平面図
【図２４】ＣＦ基板の表示領域における平面構成を示す拡大平面図
【図２５】比較実験２に係る赤色蛍光体の相対含有量と、白色表示時の相対輝度、赤色表示時の相対輝度、及び赤色表示時の色度と、を示す表
【図２６】比較実験２に係る赤色蛍光体の相対含有量に対する白色表示時の輝度及び赤色表示時の相対輝度の関係を表すグラフ
【図２７】比較実験２に係る赤色蛍光体の相対含有量を変化させたときの赤色表示時の赤色色度の推移を示すＣＩＥ１９３１色度図
【図２８】比較実験２に係る赤色蛍光体の相対含有量を１００％，１８０％としたときの各色の色度を示す表
【図２９】比較実験２に係る赤色蛍光体の相対含有量を１００％，１８０％としたときの各色度領域を示すＣＩＥ１９７６色度図
【図３０】本発明の実施形態３に係る液晶表示装置を長辺方向に沿って切断した断面構成を示す断面図
【図３１】ＬＥＤ及びＬＥＤ基板の断面図
【図３２】本発明の実施形態４に係る液晶表示装置の概略構成を示す分解斜視図
【図３３】液晶表示装置を短辺方向に沿って切断した断面構成を示す断面図
【図３４】本発明の実施形態５に係る液晶表示装置を短辺方向に沿って切断した断面構成を示す断面図
【図３５】本発明の実施形態６に係る液晶表示装置を短辺方向に沿って切断した断面構成を示す断面図
【図３６】本発明の実施形態７に係るＬＥＤ及びＬＥＤ基板の断面図
【発明を実施するための形態】
【００２２】
＜実施形態１＞
本発明の実施形態１を図１から図２０によって説明する。本実施形態では、テレビ受信装置１０ＴＶ、テレビ受信装置１０ＴＶに用いられる液晶表示装置１０、及び液晶表示装置１０に用いられるバックライト装置１２について例示する。なお、各図面の一部にはＸ軸、Ｙ軸及びＺ軸を示しており、各軸方向が各図面で示した方向となるように描かれている。また、図７及び図８などに示す上側を表側とし、同図下側を裏側とする。
【００２３】
本実施形態に係るテレビ受信装置１０ＴＶは、図１に示すように、液晶表示装置１０と、当該液晶表示装置１０を挟むようにして収容する表裏両キャビネット１０Ｃａ，１０Ｃｂと、電源１０Ｐと、テレビ信号を受信するチューナー（受信部）１０Ｔと、スタンド１０Ｓと、を備えて構成される。液晶表示装置（表示装置）１０は、全体として横長（長手）の方形状（矩形状）をなし、縦置き状態で収容されている。この液晶表示装置１０は、図２に示すように、画像を表示する表示パネルである液晶パネル１１と、液晶パネル１１に表示のための光を供給する外部光源であるバックライト装置（照明装置）１２と、を備え、これらが枠状のベゼル１３などにより一体的に保持されるようになっている。
【００２４】
先に、液晶パネル１１について説明する。液晶パネル１１は、図１に示すように、全体として平面に視て略円形状をなしている。液晶パネル１１は、図３に示すように、ほぼ透明で優れた透光性を有するガラス製の一対の基板１１ａ，１１ｂと、両基板１１ａ，１１ｂ間に介在し、電界印加に伴って光学特性が変化する物質である液晶分子（液晶材料）を含む液晶層１１ｅと、液晶層１１ｅの周りを封止するよう周方向に沿って延在するとともに両基板１１ａ，１１ｂを液晶層１１ｅの厚さ分のギャップを維持した状態で貼り合わせるシール部（図示せず）と、を少なくとも備える。この液晶パネル１１では、いわゆる滴下注入法にて液晶層１１ｅが両基板１１ａ，１１ｂ間に挟持されるようになっている。この液晶パネル１１は、画面の中央側部分により構成されて画像が表示される表示領域（アクティブエリア）と、画面の外周側部分により構成されて表示領域ＡＡを取り囲む額縁状（枠状）をなすとともに画像が表示されない非表示領域（ノンアクティブエリア）と、に区分されている。液晶パネル１１は、バックライト装置１２から供給される光を利用して表示領域に画像を表示することができ、その表側が出光側とされている。なお、両基板１１ａ，１１ｂの外面側には、それぞれ偏光板１１ｃ，１１ｄが貼り付けられている。
【００２５】
液晶パネル１１を構成する両基板１１ａ，１１ｂのうち表側（正面側）がＣＦ基板１１ａとされ、裏側（背面側）がアレイ基板１１ｂとされる。アレイ基板１１ｂのうちの表示領域ＡＡの内面側（液晶層１１ｅ側、ＣＦ基板１１ａとの対向面側）には、図３及び図４に示すように、スイッチング素子であるＴＦＴ（Thin Film Transistor：表示素子）１１ｇ及び画素電極１１ｈが多数個マトリクス状（行列状）に並んで設けられるとともに、これらＴＦＴ１１ｇ及び画素電極１１ｈの周りには、格子状をなすゲート配線（走査線）１１ｉ及びソース配線（データ線）１１ｊが取り囲むようにして配設されている。ゲート配線１１ｉとソース配線１１ｊとがそれぞれＴＦＴ１１ｇのゲート電極とソース電極とに接続され、画素電極１１ｈがＴＦＴ１１ｇのドレイン電極に接続されている。そして、ＴＦＴ１１ｇは、ゲート配線１１ｉ及びソース配線１１ｊにそれぞれ供給される各種信号に基づいて駆動され、その駆動に伴って画素電極１１ｈへの電位の供給が制御されるようになっている。画素電極１１ｈは、ゲート配線１１ｉ及びソース配線１１ｊにより囲まれた方形の領域に配されており、ＩＴＯ（Indium Tin Oxide：酸化インジウム錫）或いはＺｎＯ（Zinc Oxide：酸化亜鉛）といった透明電極からなる。
【００２６】
一方、ＣＦ基板１１ａのうちの表示領域ＡＡの内面側には、図３及び図５に示すように、アレイ基板１１ｂ側の各画素電極１１ｈと対向状をなす位置に多数個のカラーフィルタ１１ｋがマトリクス状に並んで設けられている。カラーフィルタ１１ｋは、赤色、緑色及び青色（Ｒ，Ｇ，Ｂ）の三色を呈するものが所定の順で繰り返し並んで配置される。各色のカラーフィルタ１１ｋは、各色に係る特定の波長範囲の光を選択的に透過するものとされる。つまり、赤色のカラーフィルタ１１ｋは、赤色の波長領域の光を、緑色のカラーフィルタ１１ｋは、緑色の波長領域の光を、青色のカラーフィルタ１１ｋは、青色の波長領域の光を、それぞれ選択的に透過するものとされる。各カラーフィルタ１１ｋ間には、混色を防ぐための格子状の遮光層（ブラックマトリクス）１１ｌが形成されている。遮光層１１ｌは、上記したゲート配線１１ｉ及びソース配線１１ｊと平面に視て重畳する配置とされる。カラーフィルタ１１ｋ及び遮光層１１ｌの表面には、アレイ基板１１ｂ側の画素電極１１ｈと対向するベタ状の対向電極１１ｍが設けられている。また、両基板１１ａ，１１ｂの内面側には、液晶層１１ｅに含まれる液晶分子を配向させるための配向膜１１ｎ，１１ｏがそれぞれ形成されている。
【００２７】
当該液晶パネル１１においては、赤色、緑色及び青色の３色のカラーフィルタ１１ｋ及びそれらと対向する３つの画素電極１１ｈの組によって表示単位である１つの表示画素ＰＸが構成されている。表示画素ＰＸは、赤色を呈するカラーフィルタ１１ｋとそれに対向する画素電極１１ｈとからなる赤色画素部ＰＸＲと、緑色を呈するカラーフィルタ１１ｋとそれに対向する画素電極１１ｈとからなる緑色画素部ＰＸＧと、青色を呈するカラーフィルタ１１ｋとそれに対向する画素電極１１ｈとからなる青色画素部ＰＸＢと、からなる。これら各色の画素部ＰＸＲ，ＰＸＧ，ＰＸＢは、液晶パネル１１の板面において行方向（Ｘ軸方向）に沿って繰り返し並べて配されることで、画素群を構成しており、この画素群が列方向（Ｙ軸方向）に沿って多数並んで配されている。そして、各色の画素部ＰＸＲ，ＰＸＧ，ＰＸＢを構成する各画素電極１１ｈには、それぞれに接続されたＴＦＴ１１ｇにより電圧がそれぞれ印加されるようになっており、その電圧値に基づいて各色の画素部ＰＸＲ，ＰＸＧ，ＰＸＢにおける液晶層１１ｅの配向状態が変化し、もって各色の画素部ＰＸＲ，ＰＸＧ，ＰＸＢ毎に液晶パネル１１の透過光量が個別に制御されるようになっている。各ＴＦＴ１１ｇには、図１１に示すように、アレイ基板１１ｂの端部に接続されたフレキシブル基板ＦＫを介して信号供給源であるコントロール基板（画素制御部）ＣＴＲから電圧が供給されるようになっている。コントロール基板ＣＴＲは、液晶パネル１１の表示領域に表示する画像に基づいて決定される、各色の画素部ＰＸＲ，ＰＸＧ，ＰＸＢの階調値（画素値）に基づいた電圧などの各種信号を各ＴＦＴ１１ｇに接続された各ゲート配線１１ｉ及び各ソース配線１１ｊに供給し、もって各ＴＦＴ１１ｇが駆動されるようになっている。本実施形態に係るコントロール基板ＣＴＲによれば、各色の画素部ＰＸＲ，ＰＸＧ，ＰＸＢが、それぞれ０〜２５５の階調値をとる２５６階調ずつに制御され、それにより各色の画素部ＰＸＲ，ＰＸＧ，ＰＸＢからなる表示画素ＰＸによる表示色が約１６７７万色とされている。
【００２８】
続いて、バックライト装置１２について詳しく説明する。バックライト装置１２は、図２に示すように、表側（出光側、液晶パネル１１側）に開口する光出射部（出光部、開口部）１４ｂを有した略箱型をなすシャーシ１４と、シャーシ１４の光出射部１４ｂを覆うようにして配される複数の光学部材１５と、複数の光学部材１５における外周縁部の間に介在する形で配されるフレーム１６と、を備える。さらに、シャーシ１４内には、ＬＥＤ（光源）１７と、ＬＥＤ１７が実装されたＬＥＤ基板１８と、ＬＥＤ基板１８においてＬＥＤ１７に対応した位置に取り付けられる拡散レンズ１９と、シャーシ１４内の光を反射させる反射シート（反射部材）２０と、が備えられる。このように、本実施形態に係るバックライト装置１２は、シャーシ１４内において液晶パネル１１及び光学部材１５の直下位置にＬＥＤ１７が配されてその発光面１７ａが対向状をなす、いわゆる直下型とされる。以下では、バックライト装置１２の各構成部品について詳しく説明する。
【００２９】
シャーシ１４は、例えば合成樹脂材料からなり、図６から図８に示すように、液晶パネル１１と同様に横長な方形状（矩形状、長方形状）をなす底部１４ａと、底部１４ａの外周縁部から表側（出光側）に向けて立ち上がる側部１４ｃと、から構成されており、全体としては表側に向けて開口した浅い略箱型（略浅皿状）をなしている。シャーシ１４は、その長辺方向がＸ軸方向と一致し、短辺方向がＹ軸方向と一致している。シャーシ１４における底部１４ａは、ＬＥＤ基板１８に対して裏側、つまりＬＥＤ１７に対してその発光面１７ａ側（出光側）とは反対側に配されている。シャーシ１４における側部１４ｃは、底部１４ａの外周縁部に対して全周にわたって連なる略筒状をなしていて表側の開口端側（光出射部１４ｂ側、底部１４ａ側とは反対側）ほど開口間口が広くなっている。側部１４ｃには、相対的に低い第１段部１４ｃ１と、相対的に高い第２段部１４ｃ２と、が設けられており、このうちの第１段部１４ｃ１に後述する光学部材１５（具体的には拡散板１５ａ）及び反射シート２０の各外周縁部が載せられるのに対し、第２段部１４ｃ２に液晶パネル１１の外周縁部が載せられるようになっている。また、側部１４ｃには、フレーム１６及びベゼル１３が固定されている。
【００３０】
光学部材１５は、図２に示すように、液晶パネル１１及びシャーシ１４と同様に平面に視て横長の方形状をなしている。光学部材１５は、シャーシ１４の光出射部１４ｂを覆う形で配され、ＬＥＤ１７に対して出光経路の出口側に配されている。光学部材１５は、相対的に裏側（ＬＥＤ１７に近い側、出光側とは反対側）に配される拡散板１５ａと、相対的に表側（液晶パネル１１に近い側、出光側）に配される複数の光学シート１５ｂと、から構成されている。このうちの拡散板１５ａは、図７及び図８に示すように、その外周縁部が側部１４ｃの第１段部１４ｃ１に載せられることで、シャーシ１４の光出射部１４ｂを覆うとともに、光学シート１５ｂとＬＥＤ１７及び拡散レンズ１９との間に介在して配される。拡散板１５ａは、ＬＥＤ１７及び拡散レンズ１９に対して表側、つまり出光側に所定の間隔を空けて対向状をなしている。拡散板１５ａは、光学シート１５ｂよりも板厚が厚い、ほぼ透明な樹脂製の基材内に拡散粒子を多数分散して設けた構成とされ、透過する光を拡散させる機能を有する。
【００３１】
光学シート１５ｂは、図７及び図８に示すように、その外周縁部がフレーム１６に載せられることで、シャーシ１４の光出射部１４ｂを覆うとともに、液晶パネル１１と拡散板１５ａとの間に介在して配される。光学シート１５ｂは、拡散板１５ａよりも板厚が薄いシート状をなしていて合計で３枚が備えられている。具体的には、光学シート１５ｂは、ＬＥＤ１７から発せられた光に等方性集光作用を付与するマイクロレンズシート１５ｂ１と、光に異方性集光作用を付与するプリズムシート１５ｂ２と、光を偏光反射して輝度を向上させるのに寄与する反射型偏光シート１５ｂ３と、から構成される。光学シート１５ｂは、マイクロレンズシート１５ｂ１、プリズムシート１５ｂ２及び反射型偏光シート１５ｂ３の順で積層されている。
【００３２】
フレーム１６は、図２に示すように、全体として液晶パネル１１及び光学部材１５の外周縁部に沿う枠状をなしており、その断面形状が略ブロック状をなしている。フレーム１６は、図７及び図８に示すように、側部１４ｃの第１段部１４ｃ１に載せられた拡散板１５ａの外周縁部に対して表側から載せられることで、拡散板１５ａ及び後述する反射シート２０の各外周縁部を表側から押さえるとともに第１段部１４ｃ１との間で挟持するものとされる。一方、フレーム１６には、その表側に光学シート１５ｂの外周縁部が載せられて光学シート１５ｂの外周縁部を裏側から支持しており、それにより光学シート１５ｂと拡散板１５ａとの間に一定の間隔を保持している。このような構成のフレーム１６によれば、光学シート１５ｂに付与される厚み方向（Ｚ軸方向）についての保持力が、拡散板１５ａに付与される厚み方向についての保持力よりも相対的に低くなるので、光学シート１５ｂについては熱膨張や熱収縮に伴う伸縮を逃がし易くなり、そのような伸縮に伴って生じ得る皺などの発生を抑制することができる。しかも、フレーム１６に載せられる光学シート１５ｂの外周縁部が、フレーム１６及び拡散板１５ａの外周縁部と平面に視て重畳する配置となっているので、仮にフレーム１６によって表側から押さえられる拡散板１５ａに対して光学シートを直接載せるようにした場合に比べると、拡散板１５ａの外周縁部が相対的に外側に配されることになり、もって狭額縁化を図る上で好適となる。
【００３３】
次に、ＬＥＤ１７及びＬＥＤ１７が実装されるＬＥＤ基板１８について説明する。ＬＥＤ１７は、図７及び図８に示すように、ＬＥＤ基板１８上に表面実装されるとともにその発光面１７ａがＬＥＤ基板１８側とは反対側を向いた、いわゆる頂面発光型とされている。ＬＥＤ１７は、発光面１７ａが光学部材１５（拡散板１５ａ）の板面と対向状をなす位置関係にある。詳しくは、ＬＥＤ１７は、図１０に示すように、発光源である青色ＬＥＤ素子（青色発光素子、発光素子）２１と、青色ＬＥＤ素子２１を封止する封止材２２と、青色ＬＥＤ素子２１が収容されるとともに封止材２２が充填されるケース（収容体、筐体）２３と、を備える。
【００３４】
青色ＬＥＤ素子２１は、例えばＩｎＧａＮなどの半導体材料からなる半導体であり、順方向に電圧が印加されることで青色の波長領域（約４２０ｎｍ〜約５００ｎｍ）に含まれる波長の青色の単色光を発光するものとされる。この青色ＬＥＤ素子２１は、図示しないリードフレームによってケース２３外に配されたＬＥＤ基板１８における配線パターンに接続される。封止材２２は、ＬＥＤ１７の製造工程では青色ＬＥＤ素子２１が収容されたケース２３の内部空間に充填されることで、青色ＬＥＤ素子２１及びリードフレームを封止するとともにこれらの保護を図るものとされる。
【００３５】
封止材２２は、ＬＥＤ１７の製造工程では青色ＬＥＤ素子２１が収容されたケース２３の内部空間に充填されることで、青色ＬＥＤ素子２１及びリードフレームを封止するとともにこれらの保護を図るものとされる。封止材２２は、ほぼ透明な熱硬化性樹脂材料（例えば、エポキシ樹脂材料、シリコーン樹脂材料など）に、共に図示を省略する緑色蛍光体及び赤色蛍光体をそれぞれ所定の割合でもって分散配合した構成とされている。緑色蛍光体は、青色ＬＥＤ素子２１から発せられた青色光により励起されることで緑色の波長領域（約５００ｎｍ〜約５７０ｎｍ）に含まれる波長の緑色光を発光するものとされる。赤色蛍光体は、青色ＬＥＤ素子２１から発せられた青色光により励起されることで赤色の波長領域（約６００ｎｍ〜約７８０ｎｍ）に含まれる波長の赤色光を発光するものとされる。従って、ＬＥＤ１７の発光光（バックライト装置１２の照明光）は、青色ＬＥＤ素子２１から発せられる青色光（青色成分の光）と、緑色蛍光体から発せられる緑色光（緑色成分の光）と、赤色蛍光体から発せられる赤色光（赤色成分の光）と、の３色の光から構成されていて、全体として概ね白色を呈するものとされる。つまり、このＬＥＤ１７は、略白色光を発するものとされる。なお、緑色蛍光体から発せられる緑色光と、赤色蛍光体から発せられる赤色光との合成により黄色光が得られることから、このＬＥＤ１７は、ＬＥＤチップからの青色成分の光と、黄色成分の光とを併せ持っている、とも言える。なお、青色ＬＥＤ素子２１、緑色蛍光体及び赤色蛍光体の各発光スペクトルの詳細などについては、後に詳しく説明する。
【００３６】
ケース２３は、表面が光の反射性に優れた白色を呈する合成樹脂材料（例えばポリアミド系樹脂材料）またはセラミック材料からなる。ケース２３は、全体として光出射側（発光面１７ａ側、ＬＥＤ基板１８側とは反対側）に開口部２３ｃを有する略箱型をなしており、大まかにはＬＥＤ基板１８の実装面１８ａに沿って延在する底壁部２３ａと、底壁部２３ａの外縁から立ち上がる側壁部２３ｂとを有している。このうち底壁部２３ａは、正面（光出射側）から視て方形状をなしているのに対し、側壁部２３ｂは、底壁部２３ａの外周縁に沿う略角筒状をなしていて正面から視ると方形の枠状をなしている。ケース２３を構成する底壁部２３ａの内面（底面）には、青色ＬＥＤ素子２１が配置されている。これに対して側壁部２３ｂには、リードフレームが貫通されている。リードフレームのうち、ケース２３内に配される端部が青色ＬＥＤ素子２１に接続されるのに対し、ケース２３外に導出される端部がＬＥＤ基板１８の配線パターンに接続される。
【００３７】
本実施形態に係るＬＥＤ１７が有する緑色蛍光体及び赤色蛍光体について説明する。緑色蛍光体には、少なくとも酸窒化物蛍光体の一種であるサイアロン系蛍光体が含有されている。サイアロン系蛍光体は、窒化ケイ素のシリコン原子の一部がアルミニウム原子に、窒素原子の一部が酸素原子に置換された物質、つまり酸窒化物である。酸窒化物であるサイアロン系蛍光体は、例えば硫化物や酸化物などからなる他の蛍光体に比べると、発光効率に優れるとともに耐久性に優れている。ここで言う「耐久性に優れる」とは、具体的には、ＬＥＤチップからの高いエネルギーの励起光に曝されても経時的に輝度低下が生じ難いことなどを意味する。しかも、発光スペクトルに含まれるピークの半値幅が十分に狭くなることで色純度の高い緑色光を発光することができる。サイアロン系蛍光体には、付活剤として希土類元素（例えばＴｂ，Ｙｇ，Ａｇなど）が用いられる。そして、本実施形態に係る緑色蛍光体を構成するサイアロン系蛍光体は、β−ＳｉＡｌＯＮとされる。β−ＳｉＡｌＯＮは、サイアロン系蛍光体の一種であり、β型窒化ケイ素結晶にアルミニウムと酸素とが固溶した一般式Ｓｉ6-zＡｌzＯzＮ8-z（ｚは固溶量を示す）または（Ｓｉ，Ａｌ）6（Ｏ，Ｎ）8により表される物質である。本実施形態に係るβ−ＳｉＡｌＯＮには、付活剤として例えば希土類元素の一種であるＥｕ（ユーロピウム）が用いられている。これにより、発光スペクトルに含まれるピークの半値幅がより狭くなるので、色純度の高い緑色光を発光することができる。
【００３８】
赤色蛍光体には、少なくとも複フッ化物蛍光体が含有されている。この複フッ化物蛍光体は、一般式Ａ2ＭＦ6（ＭはＳｉ、Ｔｉ、Ｚｒ、Ｈｆ、Ｇｅ及びＳｎから選ばれる１種以上、ＡはＬｉ、Ｎａ、Ｋ、Ｒｂ及びＣｓから選ばれる１種以上）により表される。この複フッ化物蛍光体は、発光スペクトルに含まれるメインピークの半値幅が十分に狭くなっているので、色純度の高い赤色光を発光することができる。また、緑色蛍光体から発せられる緑色光を吸収し難いものとされているので、緑色光の利用効率が高く保たれる。複フッ化物蛍光体は、付活剤としてマンガンを用いたケイフッ化カリウム（Ｋ2ＳｉＦ6：Ｍｎ）とされる。このようなケイフッ化カリウムでは、材料として高価な希土類元素を用いていないので、赤色蛍光体並びにＬＥＤ１７に係る製造コストが安価なものとなっている。
【００３９】
次に、ＬＥＤ１７の発光スペクトルについて説明する。ＬＥＤ１７は、図１２に示される発光スペクトルを有している。図１２は、ＬＥＤ１７の発光スペクトルを表しており、その横軸が波長（単位：ｎｍ）を、縦軸が「相対発光強度（無単位）」を、それぞれ示している。ＬＥＤ１７を構成する青色ＬＥＤ素子２１は、主発光波長（ピーク波長）が青色の波長領域に含まれていて例えば４４４ｎｍ程度となり且つその半値幅が２０ｎｍ程度となる発光スペクトルを有している。この青色ＬＥＤ素子２１から発せられる青色光は、発光スペクトルにおける半値幅が十分に狭くて色純度が高く且つ輝度が十分に高いものとされるから、緑色蛍光体及び赤色蛍光体を効率的に励起して緑色光及び赤色光を発光させることができるとともに、ＬＥＤ１７からの青色光に係る色純度が高いものとなる。緑色蛍光体であるβ−ＳｉＡｌＯＮは、主発光波長が緑色の波長領域に含まれていて例えば５３３ｎｍ程度とされ且つピークの半値幅が５３ｎｍ程度となる発光スペクトルを有している。赤色蛍光体であるケイフッ化カリウムは、１つのメインピークと、その長波長側と短波長側とに１つずつのサブピーク（第１サブピーク及び第２サブピーク）と、を含む発光スペクトルを有している。より詳しくは、赤色蛍光体であるケイフッ化カリウムは、主発光波長が赤色の波長領域に含まれていて例えば６２９ｎｍ〜６３５ｎｍの範囲（好ましくは６３０ｎｍ程度）となるメインピークを含み且つその半値幅が１０ｎｍ未満とされ、さらには主発光波長が例えば６０７ｎｍ〜６１４ｎｍの範囲（好ましくは６１３ｎｍ程度）となる第１サブピークを含むとともに主発光波長が例えば６４５ｎｍ〜６４８ｎｍの範囲（好ましくは６４７ｎｍ程度）となる第２サブピークを含む発光スペクトルを有している。このように赤色蛍光体の発光スペクトルに含まれるメインピークの半値幅は、緑色蛍光体の発光スペクトルに含まれるピークの半値幅に比べて相対的に狭くなっている。以上のような構成により、緑色蛍光体から発せられる緑色光の色純度が十分に高いものとされるとともに、赤色蛍光体から発せられる赤色光の色純度が十分に高いものとされる。
【００４０】
ＬＥＤ基板１８は、図６から図８に示すように、横長な方形状（矩形状、長方形状）をなしており、長辺方向（長さ方向）がＸ軸方向と一致し、短辺方向（幅方向）がＹ軸方向と一致する状態でシャーシ１４内において底部１４ａに沿って延在しつつ収容されている。ＬＥＤ基板１８の基材は、シャーシ１４と同じアルミ系材料などの金属製とされ、その表面に絶縁層を介して銅箔などの金属膜からなる配線パターン（図示せず）が形成され、さらには最外表面には、白色を呈する反射層（図示せず）が形成された構成とされる。この反射層によりＬＥＤ１７から出射されてＬＥＤ基板１８側に戻された光を反射することで、その反射光を表側に向けて立ち上げて出射光として利用することが可能とされる。なお、ＬＥＤ基板１８の基材に用いる材料としては、セラミックなどの絶縁材料を用いることも可能である。このＬＥＤ基板１８の基材の板面のうち、表側を向いた板面（光学部材１５側を向いた板面）には、上記した構成のＬＥＤ１７が表面実装されており、ここが実装面１８ａとされる。ＬＥＤ１７は、ＬＥＤ基板１８における長辺方向（Ｘ軸方向）に沿って複数が直線的に並列して配されるとともに、ＬＥＤ基板１８に形成された配線パターンにより直列接続されている。具体的には、ＬＥＤ基板１８には、８つのＬＥＤ１７が直線的に且つ間欠的に並んで配されている。そして、ＬＥＤ基板１８は、シャーシ１４内においてＹ軸方向に沿って複数が互いに長辺方向及び短辺方向を揃えた状態で並列して配置されている。具体的には、ＬＥＤ基板１８は、シャーシ１４内においてＹ軸方向に沿って４枚並んで配されており、その並び方向がＹ軸方向と一致している。従って、シャーシ１４の底部１４ａの面内においてＬＥＤ１７は、各ＬＥＤ基板１８の長さ方向であるＸ軸方向（行方向、底部１４ａの長辺方向）、及び複数のＬＥＤ基板１８の並び方向であるＹ軸方向（列方向、底部１４ａの短辺方向）について複数ずつ行列状（マトリクス状）に配置されていると言える。なお、各ＬＥＤ基板１８には、図示しない配線部材が接続されるコネクタ部が設けられており、配線部材を介して図示しないＬＥＤ駆動基板（光源駆動基板）から駆動電力が供給されるようになっている。
【００４１】
拡散レンズ１９は、ほぼ透明で（高い透光性を有し）且つ屈折率が空気よりも高い合成樹脂材料（例えばポリカーボネートやアクリルなど）からなる。拡散レンズ１９は、図６から図８に示すように、所定の厚みを有するとともに、平面に視て略円形状に形成されており、ＬＥＤ基板１８に対して各ＬＥＤ１７の発光面１７ａを表側（出光側）から個別に覆うよう、つまり平面に視て各ＬＥＤ１７と重畳するようそれぞれ取り付けられている。従って、バックライト装置１２における拡散レンズ１９の設置数及び平面配置は、既述したＬＥＤ１７の設置数及び平面配置と同一の関係とされる。そして、この拡散レンズ１９は、ＬＥＤ１７から発せられた指向性の強い光を拡散させつつ出射させることができる。つまり、ＬＥＤ１７から発せられた光は、拡散レンズ１９を介することにより指向性が緩和された形で光学部材１５へ向けて照射されるので、隣り合うＬＥＤ１７間の間隔を広くとってもその間の領域が暗部として視認され難くなる。つまり、拡散レンズ１９は、ＬＥＤ１７の光を拡散させる擬似光源として光学的に機能する。これにより、ＬＥＤ１７の設置個数を少なくすることが可能となっている。この拡散レンズ１９は、平面に視てＬＥＤ１７とほぼ同心となる位置に配されている。
【００４２】
この拡散レンズ１９は、図９に示すように、裏側を向き、ＬＥＤ基板１８（ＬＥＤ１７）と対向する面がＬＥＤ１７からの光が入射される光入射面１９ａとされるのに対し、表側を向き、光学部材１５と対向する面が光を出射する光出射面（発光面）１９ｂとされる。このうち、光入射面１９ａは、全体としてはＬＥＤ基板１８の板面（Ｘ軸方向及びＹ軸方向）に沿って並行する形態とされるものの、平面に視てＬＥＤ１７と重畳する領域に光入射側凹部１９ｃが形成されることでＬＥＤ１７の光軸（Ｚ軸方向）に対して傾斜した傾斜面を有している。光入射側凹部１９ｃは、断面逆Ｖ字型の略円錐状をなすとともに拡散レンズ１９においてほぼ同心位置に配されている。ＬＥＤ１７から発せられて光入射側凹部１９ｃ内に入った光は、傾斜面によって広角に屈折されつつ拡散レンズ１９に入射する。また、光入射面１９ａからは、ＬＥＤ基板１８に対する取付構造である取付脚部１９ｄが突設されている。光出射面１９ｂは、扁平な略球面状に形成されており、それにより、拡散レンズ１９から出射する光を広角に屈折させつつ出射させることが可能とされる。この光出射面１９ｂのうち平面に視てＬＥＤ１７と重畳する領域には、略擂鉢状をなす光出射側凹部１９ｅが形成されている。この光出射側凹部１９ｅにより、ＬＥＤ１７からの光の多くを広角に屈折させつつ出射させるなどすることができる。
【００４３】
反射シート２０は、表面が光の反射性に優れた白色を呈するものとされており、図２から図８に示すように、シャーシ１４の内面をほぼ全域にわたって覆う大きさ、つまり底部１４ａに沿って平面配置された全ＬＥＤ基板１８を一括して覆う大きさを有している。この反射シート２０によりシャーシ１４内の光を表側（光出射側、光学部材１５側）に向けて反射させることができるようになっている。反射シート２０は、全体としては略擂鉢状をなしており、ＬＥＤ基板１８及び底部１４ａに倣って延在するとともに各ＬＥＤ基板１８を一括してそのほぼ全域を覆う大きさの底側反射部２０ａと、底側反射部２０ａの各外端から表側に立ち上がるとともに底側反射部２０ａに対して傾斜状をなす４つの立ち上がり反射部２０ｂと、各立ち上がり反射部２０ｂの外端から外向きに延出するとともにシャーシ１４の側部１４ｃの第１段部１４ｃ１に載せられる延出部（外縁部）２０ｃと、から構成されている。
【００４４】
反射シート２０の底側反射部２０ａは、図７及び図８に示すように、各ＬＥＤ基板１８における表側の面、つまりＬＥＤ１７の実装面１８ａに対して表側に重なるよう配される。底側反射部２０ａは、シャーシ１４の底部１４ａ及び光学部材１５の板面に並行する形で延在する構成とされているため、光学部材１５までのＺ軸方向についての間隔が面内の全域にわたってほぼ一定とされている。底側反射部２０ａには、各ＬＥＤ１７と平面に視て重畳する位置に各ＬＥＤ１７及び各拡散レンズ１９を個別に挿通する挿通孔（光源挿通孔）２０ｄが開口して設けられている。この挿通孔２０ｄは、各ＬＥＤ１７及び各拡散レンズ１９の配置に対応してＸ軸方向及びＹ軸方向について行列状（マトリクス状）に複数が並んで配置されている。このように底側反射部２０ａは、平面に視てＬＥＤ１７と重畳する配置とされており、シャーシ１４内の「ＬＥＤ配置領域（光源配置領域）」に配されている、と言える。立ち上がり反射部２０ｂは、立ち上がり基端位置から立ち上がり先端位置に至るまで底側反射部２０ａ及び光学部材１５の板面に対して傾斜状をなしている。従って、立ち上がり反射部２０ｂと光学部材１５との間のＺ軸方向についての間隔は、立ち上がり基端位置から立ち上がり先端位置へ向けて連続的に漸次減少するものとされており、立ち上がり基端位置にて最大（底側反射部２０ａと光学部材１５との間のＺ軸方向についての間隔とほぼ等しい大きさ）となり、立ち上がり先端位置にて最小となっている。立ち上がり反射部２０ｂは、平面に視てＬＥＤ１７とは非重畳となる配置とされており、シャーシ１４内の「ＬＥＤ非配置領域（光源非配置領域）」に配されている、と言える。ＬＥＤ非配置領域に配された立ち上がり反射部２０ｂは、底側反射部２０ａに対して傾斜状をなしていることで、反射光に所定の角度付けをすることができ、それによりＬＥＤ非配置領域において光量不足（暗部）が生じ難くなっている。
【００４５】
さて、本実施形態に係るバックライト装置１２は、図１２に示すように、液晶パネル１１に照射する照明光を基準白色光とするのに要する３色の光に係る各発光量（基準発光量）を基準としたとき、３色の光に含まれる赤色光（第１の色の光）に係る発光量が選択的に多くなるよう構成されている。なお、図１２には、照明光を基準白色光とするのに要する赤色光に係る発光量を二点鎖線により図示している。その上で、コントロール基板ＣＴＲは、図１３に示すように、白色表示時には３色の画素部ＰＸＲ，ＰＸＧ，ＰＸＢのうち赤色を呈する赤色画素部（第１の色を呈する第１の画素部）ＰＸＲの階調値が他の色である緑色及び青色を呈する画素部ＰＸＧ，ＰＸＢの階調値よりも小さくなり、赤色表示時（第１の色の表示時）には緑色及び青色を呈する画素部ＰＸＧ，ＰＸＢの階調値が白色表示時よりも小さく赤色画素部ＰＸＲの階調値が白色表示時よりも大きくなるよう制御している。このような構成によれば、バックライト装置１２の照明光は、基準白色光よりも赤色の色味がかかった光となるため、液晶パネル１１において白色表示時にはコントロール基板ＣＴＲにより赤色画素部ＰＸＲの階調値が、緑色及び青色の画素部ＰＸＧ，ＰＸＢの階調値よりも小さくなるよう制御されることで、白色の表示を行うことができる。一方、液晶パネル１１において赤色表示時には、コントロール基板ＣＴＲにより緑色及び青色の画素部ＰＸＧ，ＰＸＢの階調値が白色表示時よりも小さく、赤色画素部ＰＸＲの階調値が白色表示時よりも大きくなるよう制御される。これにより、赤色表示時における輝度が高くなるとともにその色再現範囲が広いものとなる。しかも、赤色は、他の色に比べると、色再現範囲の拡張が人間により認識され易い傾向があることから、画像に係る表示品位の向上を図る上でより好適とされる。
【００４６】
詳しくは、バックライト装置１２は、液晶パネル１１に照射する照明光を基準白色光とするために要するＬＥＤ１７の赤色蛍光体に係る含有量を基準としたとき、赤色蛍光体に係る含有量が相対的に多くなるよう構成されている。このように、ＬＥＤ１７の赤色蛍光体に係る含有量が、照明光を基準白色光とするために要する赤色蛍光体に係る含有量の基準値よりも多くなっているので、赤色蛍光体から発せられる赤色光の発光量が、図１２に示すように、照明光を基準白色光とするのに要する赤色光に係る発光量の基準値（図１２に示す二点鎖線）よりも多くなる。これにより、青色ＬＥＤ素子２１の発光量に関して複雑な制御をせずとも、目的とする照明光を容易に得られる。具体的には、照明光を基準白色光とするために要する赤色蛍光体の基準含有量及び基準発光量を１００％としたとき、赤色蛍光体に係る含有量及び発光量は、１０７％以上とされている。このようにすれば、照明光を基準白色光とした場合の赤色表示時における赤色の輝度を１００％としたとき、赤色表示時における赤色の輝度が１０５％以上となり、十分に高い輝度向上効果が得られる。基準となる輝度値よりも５％以上の輝度向上が図られれば、使用者にとって表示画像が明るくなったことを実感し易いものとなる。
【００４７】
ここで、バックライト装置１２から液晶パネル１１に照射される照明光に係る基準白色光について説明する。この基準白色光は、例えば、色度図における黒体放射軌跡及び黒体放射軌跡を中心とした所定幅の帯状の色度範囲に含まれる色度を有している。つまり、基準白色光は、特定の色温度または相関色温度によっても表すことが可能とされる。具体的には、基準白色光を、標準光Ａ、標準光Ｂ、標準光Ｃ、標準光Ｄ６５などとすることができ、それ以外にも、任意の相関色温度Ｔに対して相対分光分布が定義された標準光ＤＴやＣＩＥ１９３１色度図に係るｘ値及びｙ値によって表される色度座標が（０．２７２，０．２７７）など上記帯状の色度範囲に含まれる任意の色度によって定義される標準光とすることも可能である。なお、標準光Ａは、ＣＩＥ１９３１色度図に係る色度座標が（０．４４７６，０．４０７４）、色温度（単位は「Ｋ（ケルビン）」）が２８５５．６Ｋとされる。標準光Ｂは、ＣＩＥ１９３１色度図に係る色度座標が（０．３４８４，０．３５１６）、色温度が４８７４Ｋとされる。標準光Ｃは、ＣＩＥ１９３１色度図に係る色度座標が（０．３１０１，０．３１６１）、色温度が６７７４Ｋとされる。標準光Ｄ６５は、ＣＩＥ１９３１色度図に係る色度座標が（０．３１５７，０．３２９０）、相関色温度が６５０４Ｋとされる。
【００４８】
次に、コントロール基板ＣＴＲによる３色の画素部ＰＸＲ，ＰＸＧ，ＰＸＢの階調値に係る制御に関して詳しく説明する。コントロール基板ＣＴＲは、既述した通り、３色の画素部ＰＸＲ，ＰＸＧ，ＰＸＢをそれぞれ２５６階調の範囲内で適宜に制御することで、表示画素ＰＸの表示色を約１６７７万色としている。例えば、表示画素ＰＸに白色表示をさせる場合には、コントロール基板ＣＴＲは、３色の画素部ＰＸＲ，ＰＸＧ，ＰＸＢの階調値を最大化し且つ目標となる白色色度が得られるようホワイトバランスが整った階調値となるよう各画素部ＰＸＲ，ＰＸＧ，ＰＸＢを制御している。一方、表示画素ＰＸに赤色、緑色及び青色の単色表示をさせる場合には、コントロール基板ＣＴＲは、３色の画素部ＰＸＲ，ＰＸＧ，ＰＸＢのうち単色表示を行う色の画素部ＰＸＲ，ＰＸＧ，ＰＸＢの階調値を最大化するとともに単色表示を行わない他の２色の画素部ＰＸＲ，ＰＸＧ，ＰＸＢの階調値を最小化するよう、各画素部ＰＸＲ，ＰＸＧ，ＰＸＢを制御している。
【００４９】
ここで、仮に、バックライト装置の照明光の色度が、液晶パネル１１において白色表示を行う際の目標となる白色色度（目標白色色度）と同等の色度であった場合には、コントロール基板ＣＴＲは、図１３に示すように、３色の画素部ＰＸＲ，ＰＸＧ，ＰＸＢの階調値をそれぞれ最大値の「２５５」とすることで、表示画素ＰＸに白色表示を行わせることができる。しかし、実際には、３色の各画素部ＰＸＲ，ＰＸＧ，ＰＸＢの階調値は、バックライト装置（ＬＥＤ）の照明光の色度や液晶パネル１１の各色のカラーフィルタ１１ｋの分光透過率などの個体差に応じてホワイトバランス調整されるため、例えば赤色画素部ＰＸＲの階調値を「２４８」とし、緑色画素部ＰＸＧの階調値を「２４２」とし、青色画素部ＰＸＢの階調値を「２５５」とすることで、目標の白色表示を表示画素ＰＸに行わせることができる。なお、ホワイトバランス調整に伴う各画素部ＰＸＲ，ＰＸＧ，ＰＸＢの具体的な階調値は、上記個体差に応じて適宜に変更され得る。
【００５０】
これに対し、本実施形態では、バックライト装置１２が、照明光を基準白色光とするのに要する３色の光に係る各発光量を基準としたとき、赤色光に係る発光量が選択的に多くなるよう構成されているので、当該照明光が赤色の色味がかったものとなっており、その照明光の色度が液晶パネル１１において白色表示を行う際の目標となる白色色度（目標白色色度）とは異なり、目標白色色度に対して赤色寄りにシフトしたものとなっている。これに伴い、コントロール基板ＣＴＲは、３色の各画素部ＰＸＲ，ＰＸＧ，ＰＸＢのうちの赤色画素部ＰＸＲの階調値を他の２色の画素部ＰＸＧ，ＰＸＢの階調値よりも小さくなるよう制御することで、表示画素ＰＸに白色表示を行わせている。具体的には、コントロール基板ＣＴＲは、図１３に示すように、ホワイトバランスを調整した状態で、緑色画素部ＰＸＧの階調値を「２４２」とし、青色画素部ＰＸＢの階調値を「２５５」とするのに対し、赤色画素部ＰＸＲの階調値を「２２０」としており、それにより目標白色色度での表示を表示画素ＰＸに行わせるようにしている。つまり、バックライト装置１２の照明光には、緑色光及び青色光よりも赤色光がより多く含まれているので、液晶パネル１１の赤色画素部ＲＰＸの開度（光の透過のし易さ）が緑色画素部ＰＸＧ及び青色画素部ＰＸＢの開度よりも低くなるようコントロール基板ＣＴＲにより制限することで、表示画素ＰＸの色度が目標白色色度とされている。なお、液晶パネル１１において白色表示を行う際の目標白色色度は、例えば色温度１２０００Ｋ程度とされるのが好ましいが、必ずしもこの数値に限定されるものではない。
【００５１】
そして、赤色の単色表示を行う場合には、コントロール基板ＣＴＲは、緑色画素部ＰＸＧ及び青色画素部ＰＸＢの階調値を白色表示時よりも小さくし、赤色画素部ＰＸＲの階調値を白色表示時よりも大きくしている。具体的には、赤色表示時にコントロール基板ＣＴＲは、図１３に示すように、緑色画素部ＰＸＧ及び青色画素部ＰＸＢの階調値をそれぞれ最小値である「０」とするのに対し、赤色画素部ＰＸＲの階調値を白色表示時の「２２０」よりも大きな「２５５」とすることで、目標の赤色表示を表示画素ＰＸに行わせている。つまり、赤色表示時には、赤色画素部ＰＸＲの階調値は、最大値となっている。ここで、バックライト装置１２の照明光は、基準白色光とするのに要する３色の光に係る各発光量を基準としたとき、赤色光に係る発光量が選択的に多くなっており、その発光量が選択的に多くされた赤色光が、赤色表示時には赤色画素部ＰＸＲを最大限に透過することになるので、図１４に示すように、赤色光の透過光量が最大化されるとともに表示画素ＰＸに表示される赤色の色純度がより高いものとなる。これにより、赤色表示時における輝度が高くなるとともにその色再現範囲が広いものとなる。なお、図１４は、赤色表示時における液晶パネル１１の透過スペクトルを表しており、その横軸が波長（単位：ｎｍ）を、縦軸が「相対輝度（無単位）」を、それぞれ示している。
【００５２】
また、緑色表示時にコントロール基板ＣＴＲは、図１３に示すように、緑色画素部ＰＸＧの階調値を最大値である「２５５」とし、赤色画素部ＰＸＲ及び青色画素部ＰＸＢの階調値をそれぞれ最小値である「０」とすることで、目標の緑色表示を表示画素ＰＸに行わせている。青色表示時にコントロール基板ＣＴＲは、青色画素部ＰＸＢの階調値を最大値である「２５５」とし、赤色画素部ＰＸＲ及び緑色画素部ＰＸＧの階調値をそれぞれ最小値である「０」とすることで、目標の青色表示を表示画素ＰＸに行わせている。
【００５３】
上記のような作用及び効果を実証するため、以下の比較実験１を行った。この比較実験１では、ＬＥＤ１７に含ませる赤色蛍光体の含有量を、バックライト装置１２の照明光を基準白色光とするために要する赤色蛍光体の基準含有量よりも多くしたとき、白色表示時の輝度及び赤色表示時の輝度と、赤色表示時の色度と、がどのように変化するかを測定した。具体的には、比較実験１では、赤色蛍光体の相対含有量を、上記した赤色蛍光体の基準含有量からその５倍にまで段階的に増すようにし、そのときの白色表示時の相対輝度及び赤色表示時の相対輝度をそれぞれ測定している。より詳しくは、比較実験１では、赤色蛍光体の基準含有量を１００％としたとき、赤色蛍光体の相対含有量を、「１００％，１４０％，１８０％，２２０％，２６０％，３００％，３４０％，３８０％，４２０％，４６０％，５００％」として上記各相対輝度の測定を行っている（図１５から図１７）。さらには、比較実験１では、赤色蛍光体の相対含有量を「１００％，１８０％」としたときの、赤色表示時、緑色表示時及び青色表示時の各色度をそれぞれ測定している（図１８及び図１９）。比較実験１の実験結果を図１５から図１９に示す。図１５は、赤色蛍光体の相対含有量と、白色表示時の相対輝度、赤色表示時の相対輝度及び赤色表示時の色度、を表す表である。図１５において赤色表示時の色度としては、ＣＩＥ１９３１色度図に係るｘ値及びｙ値と、ＣＩＥ１９７６色度図に係るｕ′値及びｖ′値と、がそれぞれ記載されている。図１６は、横軸が、赤色蛍光体の含有量に関して上記した赤色蛍光体の基準含有量を１００％としたときの相対値（単位は「％」）とされるのに対し、縦軸が、白色表示時の輝度及び赤色表示時の輝度に関して赤色蛍光体を基準含有量としたときの相対値（単位は「％」）とされるグラフである。図１６において、「×」のプロットが赤色表示時を、「▲」のプロットが白色表示時を、それぞれ表している。図１７は、ＣＩＥ１９３１色度図であり、上記のように赤色蛍光体の相対含有量を変化させたときにおける赤色表示時の赤色色度の推移を表している。図１８は、赤色蛍光体の相対含有量を「１００％，１８０％」としたときの赤色、緑色及び青色の各単色の色度を表す表である。図１９は、赤色蛍光体の相対含有量を「１００％，１８０％」としたときの赤色、緑色及び青色の各単色色度を表すＣＩＥ１９７６色度図であり、赤色蛍光体の相対含有量を１００％としたときの色度領域を二点鎖線及び「◆」のプロットにより、赤色蛍光体の相対含有量を１８０％としたときの色度領域を実線及び「■」のプロットにより、それぞれ図示している。
【００５４】
比較実験１の実験結果について説明する。図１５及び図１６によれば、赤色蛍光体の相対含有量を多くするほど、白色表示時の相対輝度が低下するものの、赤色表示時の相対輝度は向上する傾向であることが分かる。このように白色表示時の相対輝度が低下する理由は、赤色蛍光体の相対含有量を多くするほど赤色光の発光量が増すことから、白色表示時には赤色画素部ＰＸＲの階調値をより小さくしなければならないためである。赤色表示時の相対輝度が向上する理由は、赤色蛍光体の相対含有量を多くするほど赤色光の発光量が増すのに対し、赤色表示時における赤色画素部ＰＸＲの階調値は最大値で発光量の増加した赤色光がそのまま表示に利用されるためである。特に、図１６によれば、赤色蛍光体の相対含有量が１０７％を超えると、赤色表示時の相対輝度が１０５％を超えることから、赤色蛍光体の相対含有量を１０７％以上とするのが、赤色表示時の輝度向上効果を十分に得る上で好ましいものとされる。なお、赤色蛍光体の相対含有量は、赤色蛍光体による赤色光の相対発光量に比例する傾向にあることから、赤色光の相対発光量を１０７％以上とするのが好ましい、と言える。
【００５５】
一方、図１５及び図１７によれば、赤色蛍光体の相対含有量を多くするほど、赤色表示時における赤色色度のｘ値が増加してｙ値が減少する傾向であることが分かる。このように赤色表示時における赤色色度のｘ値が増加してｙ値が減少するということは、図２０に示されるＣＩＥ１９３１色度図におけるスペクトル軌跡のうちの赤色の波長領域を長波長側にシフトすることを意味する。従って、赤色蛍光体の相対含有量を多くするほど、赤色表示時における赤色の色域がより拡張されて色再現性がより向上する、と言える。さらには、赤色表示時における赤色色度のｘ値が増加してｙ値が減少するということは、図２０に示されるＣＩＥ１９３１色度図におけるマックアダムの楕円のうち、赤色の波長領域付近に配される楕円をその短軸方向に沿ってシフトすることを意味する。マックアダムの楕円は、人間に色の差が判別できない色度範囲を表すものであることから、上記のように赤色色度がマックアダムの楕円をその短軸方向に沿ってシフトすると、人間にとっては赤色の色味の違いがより明確に知覚され易くなる、と言える。つまり、赤色表示時に赤色の色味がより鮮やかに使用者に認識され易くなり、表示品位の向上を図る上で好ましいものとされる。なお、図２０は、ＣＩＥ１９３１色度図であって、スペクトル軌跡及び純紫軌跡と、マックアダムの楕円と、が示されるものである。そして、図１８及び図１９によれば、赤色蛍光体の含有量を１８０％とすれば、赤色蛍光体の含有量が１００％の場合に比べると、赤色の色域が拡張されていることが分かる。このように、赤色蛍光体の相対含有量が多くなれば、赤色表示時における赤色の色域がより拡張されて色再現性がより向上することが分かる。なお、図１５によれば、赤色蛍光体の含有量を１８０％としたとき、赤色表示時の相対輝度が１４１％となっていて、十分な輝度向上効果が得られている、と言える。
【００５６】
以上説明したように本実施形態の液晶表示装置（表示装置）１０は、異なる色を呈する複数の画素部ＰＸＲ，ＰＸＧ，ＰＸＢを有する液晶パネル（表示パネル）１１と、異なる色を呈する複数の色の光を含む照明光を液晶パネル１１に照射するバックライト装置（照明装置）１２であって、照明光を基準白色光とするのに要する複数の色の光に係る各発光量を基準としたとき、複数の色の光に含まれる第１の色の光に係る発光量が選択的に多くなるよう構成されるバックライト装置１２と、白色表示時には複数の画素部ＰＸＲ，ＰＸＧ，ＰＸＢのうち赤色（第１の色）を呈する赤色画素部（第１の画素部）ＰＸＲの階調値が他の色を呈する画素部ＰＸＧ，ＰＸＢの階調値よりも小さくなり、赤色の表示時には他の色を呈する画素部ＰＸＧ，ＰＸＢの階調値が白色表示時よりも小さく赤色画素部ＰＸＲの階調値が白色表示時よりも大きくなるよう制御するコントロール基板（画素制御部）ＣＴＲと、を備える。
【００５７】
このような構成によれば、バックライト装置１２から発せられた複数の光を含む照明光が、液晶パネル１１に有される複数の画素部ＰＸＲ，ＰＸＧ，ＰＸＢをその階調値に応じて透過されることで複数の画素部ＰＸＲ，ＰＸＧ，ＰＸＢが異なる色を呈し、もって所定の画像が表示される。バックライト装置１２の照明光は、基準白色光よりも赤色の色味がかかった光となるため、液晶パネル１１において白色表示時にはコントロール基板ＣＴＲにより赤色を呈する赤色画素部ＰＸＲの階調値が、他の色を呈する画素部ＰＸＧ，ＰＸＢの階調値よりも小さくなるよう制御されることで、白色の表示を行うことができる。一方、液晶パネル１１において赤色の表示時にはコントロール基板ＣＴＲにより他の色を呈する画素部ＰＸＧ，ＰＸＢの階調値が白色表示時よりも小さく赤色画素部ＰＸＲの階調値が白色表示時よりも大きくなるよう制御される。これにより、赤色の表示時における赤色に係る輝度が高くなるとともにその色再現範囲が広いものとなる。
【００５８】
また、液晶パネル１１は、複数の画素部ＰＸＲ，ＰＸＧ，ＰＸＢが、赤色を呈する赤色画素部ＰＸＲ、緑色を呈する緑色画素部ＰＸＧ、及び青色を呈する青色画素部ＰＸＢを少なくとも含むよう構成されており、バックライト装置１２は、複数の色の光に赤色の光、緑色の光、及び青色の光を少なくとも含むとともに第１の色の光が赤色の光とされ、コントロール基板ＣＴＲは、赤色画素部ＰＸＲを第１の画素部として制御している。このようにすれば、赤色表示時における赤色に係る輝度が高くなるとともにその色再現範囲が広いものとなる。赤色は、他の色に比べると、色再現範囲の拡張が人間により認識され易い傾向があることから、画像に係る表示品位の向上を図る上でより好適とされる。
【００５９】
また、バックライト装置１２は、照明光を基準白色光とするのに要する複数の色の光に係る各発光量をそれぞれ１００％としたとき、赤色の光に係る発光量が１０７％以上となるよう構成される。このようにすれば、赤色の表示時における赤色に係る輝度に関して、仮に照明光を基準白色光とした場合の赤色の光に係る発光量に基づく輝度を１００％としたとき、１０５％以上の輝度向上効果が得られる。
【００６０】
また、バックライト装置１２は、光を発する青色ＬＥＤ素子（発光素子）２１と、青色ＬＥＤ素子２１からの光を波長変換する蛍光体と、を有するとともに、蛍光体には、赤色の光を発する赤色蛍光体（第１の蛍光体）が少なくとも含まれており、バックライト装置１２は、照明光を基準白色光とするために要する蛍光体に係る含有量を基準としたとき、赤色蛍光体に係る含有量が相対的に多くなるよう構成される。このようにすれば、青色ＬＥＤ素子２１から光が発せられると少なくともその一部が蛍光体によって波長変換されることで、バックライト装置１２の照明光が得られる。そして、蛍光体に含まれる赤色蛍光体に係る含有量が、照明光を基準白色光とするために要する蛍光体に係る含有量の基準値よりも多くなっているので、赤色蛍光体から発せられる赤色の光の発光量が、照明光を基準白色光とするのに要する複数の色の光に係る各発光量の基準値よりも多くなる。このように、青色ＬＥＤ素子２１の発光量に関して複雑な制御をせずとも、目的とする照明光を容易に得られる。
【００６１】
また、バックライト装置１２は、青色ＬＥＤ素子２１と、青色ＬＥＤ素子２１を収容するケース２３と、青色ＬＥＤ素子２１をケース２３内に封止して蛍光体が含有される封止材２２と、から構成されるＬＥＤ（光源）１７を少なくとも有する。このようにすれば、青色ＬＥＤ素子２１をケース２３内に封止する封止材２２に含有される蛍光体によって青色ＬＥＤ素子２１から発せられた光の少なくとも一部が励起光として利用される。
【００６２】
また、ＬＥＤ１７は、赤色蛍光体が、付活剤としてマンガンを用いたケイフッ化カリウムとなるよう構成される。このようにすれば、赤色蛍光体であるケイフッ化カリウムにおける発光スペクトルに含まれるメインピークの半値幅が十分に狭くなることで色純度の高い赤色光を発することができる。しかも、ケイフッ化カリウムには、材料として高価な希土類元素が用いられていないので、ＬＥＤ１７に係る製造コストが安価なものとなる。また、ケイフッ化カリウムは、吸湿などにより性能劣化が生じ難いものとされているから、青色ＬＥＤ素子２１をケース２３内に封止する封止材２２に含有させる構成を採る上で好適とされる。
【００６３】
本実施形態に係るテレビ受信装置１０ＴＶは、上記記載の液晶表示装置１０を備える。このような構成のテレビ受信装置１０ＴＶによれば、赤色の表示時における赤色に係る輝度が高くなるとともに色再現範囲が広いものとなっているから、表示品位に優れたテレビ画像の表示を実現することができる。
【００６４】
＜実施形態２＞
本発明の実施形態２を図２１から図２９によって説明する。この実施形態２では、カラーフィルタ１１１ｋを４色に変更したものを示す。なお、上記した実施形態１と同様の構造、作用及び効果について重複する説明は省略する。
【００６５】
本実施形態に係るテレビ受信装置１１０ＴＶ及び液晶表示装置１１０には、図２１に示すように、チューナー１１０Ｔから出力されたテレビ映像信号を当該液晶表示装置１１０用の映像信号に変換する映像変換回路基板１１０ＶＣが備えられている。詳しくは、映像変換回路基板１１０ＶＣは、チューナー１１０Ｔから出力されたテレビ映像信号を青色、緑色、赤色及び黄色の各色の映像信号に変換し、生成された各色の映像信号を液晶パネル１１１に接続されたコントロール基板（本実施形態では図示しないが図１１を参照）に出力することができる。また、テレビ受信装置１１０ＴＶは、実施形態１と同様の構成とされる一対のキャビネット１１０Ｃａ，１１０Ｃｂと、電源１１０Ｐと、スタンド１１０Ｓと、を備えている。
【００６６】
液晶パネル１１１を構成するＣＦ基板１１１ａの内面に設けられるカラーフィルタ１１１ｋには、図２２及び図２４に示すように、赤色、緑色及び青色に加えて黄色を呈するものが含まれており、これら４色を呈するものが所定の順で繰り返し並んで配置される。このうちの黄色のカラーフィルタ１１１ｋは、黄色の波長領域の光、つまり赤色の波長領域の光と緑色の波長領域の光とを選択的に透過するものとされる。つまり、黄色のカラーフィルタ１１１ｋは、赤色光及び緑色光を共に透過するものとされる。赤色のカラーフィルタ１１１ｋ及び青色のカラーフィルタ１１１ｋは、緑色カラーフィルタ１１１ｋ及び黄色のカラーフィルタ１１１ｋよりもＸ軸方向についての寸法及び面積が相対的に大きなものとされており、例えば１．６倍程度とされる。なお、赤色のカラーフィルタ１１１ｋ及び青色のカラーフィルタ１１１ｋは、Ｘ軸方向についての寸法及び面積が互いにほぼ等しく、また緑色カラーフィルタ１１１ｋ及び黄色のカラーフィルタ１１１ｋは、Ｘ軸方向についての寸法及び面積が互いにほぼ等しくなっている。これに伴い、赤色のカラーフィルタ１１１ｋ及び青色のカラーフィルタ１１１ｋと対向する各画素電極１１１ｈは、図２２及び図２３に示すように、緑色カラーフィルタ１１１ｋ及び黄色のカラーフィルタ１１１ｋと対向する各画素電極１１１ｈよりもＸ軸方向についての寸法及び面積が相対的に大きなものとされており、例えば１．６倍程度とされる。
【００６７】
そして、この液晶パネル１１１においては、赤色、緑色、青色及び黄色の４色のカラーフィルタ１１１ｋ及びそれらと対向する４つの画素電極１１１ｈの組によって表示単位である１つの表示画素ＰＸが構成されている。表示画素ＰＸは、赤色画素部ＰＸＲと、緑色画素部ＰＸＧと、青色画素部ＰＸＢと、黄色を呈するカラーフィルタ１１１ｋとそれに対向する画素電極１１１ｈとからなる黄色画素部ＰＸＹと、からなる。これら各色の画素部ＰＸＲ，ＰＸＧ，ＰＸＢ，ＰＸＹは、液晶パネル１１１の板面において行方向（Ｘ軸方向）に沿って繰り返し並べて配されることで、画素群を構成しており、この画素群が列方向（Ｙ軸方向）に沿って多数並んで配されている。そして、各色の画素部ＰＸＲ，ＰＸＧ，ＰＸＢ，ＰＸＹを構成する各画素電極１１１ｈには、それぞれに接続されたＴＦＴ１１１ｇにより電圧がそれぞれ印加されるようになっており、その電圧値に基づいて各色の画素部ＰＸＲ，ＰＸＧ，ＰＸＢ，ＰＸＹにおける液晶層１１１ｅの配向状態が変化し、もって各色の画素部ＰＸＲ，ＰＸＧ，ＰＸＢ，ＰＸＹ毎に液晶パネル１１１の透過光量が個別に制御されるようになっている。なお、本実施形態に係る表示画素ＰＸにおけるＸ軸方向及びＹ軸方向についての寸法及び面積は、上記した実施形態１に記載したものと同一である。
【００６８】
このような構成の液晶パネル１１１は、図示しないコントロール基板からの信号が入力されることで駆動されるのであるが、そのコントロール基板には、図２１に示す映像変換回路基板１１０ＶＣにおいてチューナー１１０Ｔから出力されたテレビ映像信号が、青色、緑色、赤色及び黄色の各色の映像信号に変換されて生成された各色の映像信号が入力されるようになっており、それにより液晶パネル１１１では、各色の画素部ＰＸＲ，ＰＸＧ，ＰＸＢ，ＰＸＹを透過する透過光量を適宜制御されるようになっている。そして、液晶パネル１１１のカラーフィルタ１１１ｋが光の三原色を呈するものに加えて黄色を呈するものを有しているので、その透過光により表示される表示画像の色域が拡張されており、もって色再現性により優れた表示を実現できるものとされる。しかも、黄色のカラーフィルタ１１１ｋを透過した光は、視感度のピークに近い波長を有することから、人間の目には少ないエネルギーでも明るく知覚される傾向とされる。これにより、図示しないバックライト装置が有するＬＥＤの出力を抑制しても十分な輝度を得ることができることとなり、ＬＥＤの消費電力を低減でき、もって環境性能にも優れる、といった効果が得られる。
【００６９】
以上のように４色の画素部ＰＸＲ，ＰＸＧ，ＰＸＢ，ＰＸＹからなる表示画素ＰＸは、その面積が上記した実施形態１に記載したものと同一とされているのに対し、表示画素ＰＸが４色の各画素部ＰＸＲ，ＰＸＧ，ＰＸＢ，ＰＸＹにより構成されている。このため、４色の各画素部ＰＸＲ，ＰＸＧ，ＰＸＢ，ＰＸＹの面積は、上記した実施形態１に記載された３色の各画素部ＰＸＲ，ＰＸＧ，ＰＸＢの面積よりもそれぞれ小さくなっている。これは、本実施形態において赤色画素部ＰＸＲ及び青色画素部ＰＸＢの面積が緑色画素部ＰＸＧ及び黄色画素部ＰＸＹの面積の１．６倍程度とされていることを踏まえても、各画素部ＰＸＲ，ＰＸＧ，ＰＸＢ，ＰＸＹの面積が上記した実施形態１に記載されたものよりもそれぞれ相対的に小さい。具体的には、緑色画素部ＰＸＧ及び黄色画素部ＰＸＹの面積比率をそれぞれ「１．０」としたとき、赤色画素部ＰＸＲ及び青色画素部ＰＸＢの面積比率がそれぞれ「１．６」となるのに対し、実施形態１に係る３色の各画素部ＰＸＲ，ＰＸＧ，ＰＸＢの面積比率がそれぞれ約「１．７３」となる。
【００７０】
このような構成の液晶パネル１１１に照明光を供給するバックライト装置は、上記した実施形態１と同様に、照明光を基準白色光とするのに要する３色の光に係る各発光量を基準としたとき、３色の光に含まれる赤色光に係る発光量が選択的に多くなるよう構成されている。そして、液晶パネル１１１の駆動を制御するコントロール基板は、白色表示時には４色の画素部ＰＸＲ，ＰＸＧ，ＰＸＢ，ＰＸＹのうち赤色画素部ＰＸＲの階調値が他の色である緑色、青色及び黄色を呈する画素部ＰＸＧ，ＰＸＢ，ＰＸＹの階調値よりも小さくなり、赤色表示時には緑色、青色及び黄色の各画素部ＰＸＧ，ＰＸＢ，ＰＸＹの階調値が白色表示時よりも小さく赤色画素部ＰＸＲの階調値が白色表示時よりも大きくなるよう制御している。このような構成によれば、バックライト装置の照明光は、基準白色光よりも赤色の色味がかかった光となるため、液晶パネル１１１において白色表示時にはコントロール基板により赤色画素部ＰＸＲの階調値が、緑色、青色及び黄色の各画素部ＰＸＧ，ＰＸＢ，ＰＸＹの階調値よりも小さくなるよう制御されることで、白色の表示を行うことができる。なお、黄色画素部ＰＸＹは、緑色光に加えて赤色光も透過することから、白色表示時にはコントロール基板により黄色画素部ＰＸＹの階調値が、緑色及び青色の各画素部ＰＸＧ，ＰＸＢの階調値よりも小さくなるよう制御されている。一方、液晶パネル１１１において赤色表示時には、コントロール基板により緑色、青色及び黄色の各画素部ＰＸＧ，ＰＸＢ，ＰＸＹの階調値が白色表示時よりも小さく、赤色画素部ＰＸＲの階調値が白色表示時よりも大きくなるよう制御される。これにより、赤色表示時における赤色に係る輝度が高くなるとともにその色再現範囲が広いものとなる。
【００７１】
ここで、本実施形態に係る液晶パネル１１１は、既述した通り、上記した実施形態１に係る液晶パネル１１に比べると、各画素部ＰＸＲ，ＰＸＧ，ＰＸＢ，ＰＸＹの個々の面積比率が低くなっているので、バックライト装置の照明光に含まれる赤色光に係る発光量が多くされるのに伴う、赤色表示時における赤色光に係る輝度の増加率が相対的に大きくなっている。そして、バックライト装置の照明光に含まれる赤色光に係る発光量が多くされることで、当該照明光が赤色の色味がかったものとなっているので、仮に基準白色光を照明光とした場合に比べると、黄色表示時における黄色に係る色度が赤色寄りにシフトすることになる。このような黄色色度のシフトは、黄色のカラーフィルタ１１１ｋを赤色光がある程度透過するため生じる。これにより、色再現範囲を拡張する上でより好適となる。
【００７２】
上記のような作用及び効果を実証するため、以下の比較実験２を行った。この比較実験２では、４色の画素部ＰＸＲ，ＰＸＧ，ＰＸＢ，ＰＸＹを備える液晶パネル１１１を用いることを前提とし、ＬＥＤに含ませる赤色蛍光体の含有量を、バックライト装置の照明光を基準白色光とするために要する赤色蛍光体の基準含有量よりも多くしたとき、白色表示時の輝度及び赤色表示時の輝度と、赤色表示時の色度と、がどのように変化するかを測定した。具体的には、比較実験２では、赤色蛍光体の相対含有量を、上記した赤色蛍光体の基準含有量からその５倍にまで段階的に増すようにし、そのときの白色表示時の相対輝度及び赤色表示時の相対輝度をそれぞれ測定している。より詳しくは、比較実験２では、赤色蛍光体の基準含有量を１００％としたとき、赤色蛍光体の相対含有量を、「１００％，１０７％，１８０％，２２０％，２６０％，３００％，３４０％，３８０％，４２０％，４６０％，５００％」として上記各相対輝度の測定を行っている（図２５から図２７）。さらには、比較実験２では、赤色蛍光体の相対含有量を「１００％，１８０％」としたときの、赤色表示時、黄色表示時、緑色表示時及び青色表示時の各色度をそれぞれ測定している（図２８及び図２９）。比較実験２の実験結果を図２５から図２９に示す。図２５は、赤色蛍光体の相対含有量と、白色表示時の相対輝度、赤色表示時の相対輝度及び赤色表示時の色度、を表す表である。図２５において赤色表示時の色度としては、ＣＩＥ１９３１色度図に係るｘ値及びｙ値と、ＣＩＥ１９７６色度図に係るｕ′値及びｖ′値と、がそれぞれ記載されている。図２６は、横軸が、赤色蛍光体の含有量に関して上記した赤色蛍光体の基準含有量を１００％としたときの相対値（単位は「％」）とされるのに対し、縦軸が、白色表示時の輝度及び赤色表示時の輝度に関して赤色蛍光体を基準含有量としたときの相対値（単位は「％」）とされるグラフである。図２６において、「■」のプロットが赤色表示時を、「◆」のプロットが白色表示時を、それぞれ表している。なお、図２６には、実施形態１の比較実験１に係る実験結果（「×」のプロット、「▲」のプロット）を参考のため示している。図２７は、ＣＩＥ１９３１色度図であり、上記のように赤色蛍光体の相対含有量を変化させたときにおける赤色表示時の赤色色度の推移を表している。図２８は、赤色蛍光体の相対含有量を「１００％，１８０％」としたときの赤色、緑色及び青色の各単色の色度を表す表である。図２９は、赤色蛍光体の相対含有量を「１００％，１８０％」としたときの赤色、緑色及び青色の各単色色度を表すＣＩＥ１９７６色度図であり、赤色蛍光体の相対含有量を１００％としたときの色度領域を二点鎖線及び「◆」のプロットにより、赤色蛍光体の相対含有量を１８０％としたときの色度領域を実線及び「■」のプロットにより、それぞれ図示している。
【００７３】
比較実験２の実験結果について説明する。図２５及び図２６によれば、赤色蛍光体の相対含有量を多くするほど、白色表示時の相対輝度が低下するものの、赤色表示時の相対輝度は向上する、という比較実験１と同様の傾向であることが分かる。このような傾向となる理由は、実施形態１の比較実験１にて説明した通りである。比較実験２の実験結果において特筆すべきは、赤色蛍光体の相対含有量が１２５％を超えると、赤色表示時の相対輝度が比較実験１の実験結果を上回る点（第１の点）と、赤色蛍光体の相対含有量が２２０％を超えると、白色表示時の相対輝度が比較実験１の実験結果を下回る点（第２の点）と、である。第１の点について詳しく説明すると、赤色蛍光体の相対含有量が１２５％に至るまでは、比較実験２の実験結果に係る赤色表示時の相対輝度が比較実験１の実験結果と同等であるものの、赤色蛍光体の相対含有量が１２５％を超えると、比較実験２の実験結果に係る赤色表示時の相対輝度が比較実験１の実験結果を上回り、赤色蛍光体の相対含有量が増すほど赤色表示時の相対輝度の差が大きくなっている。これは、比較実験２では４色の画素部ＰＸＲ，ＰＸＧ，ＰＸＢ，ＰＸＹを備える液晶パネル１１１を用いることを前提としており、比較実験１のような３色の画素部ＰＸＲ，ＰＸＧ，ＰＸＢを備える液晶パネル１１に比べると、各画素部ＰＸＲ，ＰＸＧ，ＰＸＢ，ＰＸＹの個々の面積比率が低くなっており、バックライト装置の照明光に含まれる赤色光に係る発光量が多くされるのに伴う、赤色表示時における赤色光に係る輝度の増加率が相対的に大きくなるため、と推察される。なお、比較実験２においても、比較実験１と同様に、赤色蛍光体の相対含有量が１０７％を超えると、赤色表示時の相対輝度が１０５％を超えるものとされる。
【００７４】
一方、第２の点について詳しく説明すると、赤色蛍光体の相対含有量が２２０％を超えると、白色表示時の相対輝度が比較実験１の実験結果を下回るものの、赤色蛍光体の相対含有量が２２０％に至るまでは、白色表示時の相対輝度が比較実験１の実験結果と同等となっている。このように赤色蛍光体の相対含有量が２２０％を超えたときに白色表示時の相対輝度が低下する理由は、黄色画素部ＰＸＹが緑色光に加えて赤色光も透過することから、白色表示時に黄色画素部ＰＸＹの階調値が緑色及び青色の各画素部ＰＸＧ，ＰＸＢの階調値よりも小さくなるようコントロール基板により制御されており、赤色蛍光体の相対含有量が増すほど白色表示時の黄色画素部ＰＸＹの階調値と緑色及び青色の各画素部ＰＸＧ，ＰＸＢの階調値との差が大きくなるため、と推察される。従って、比較実験２の実験結果によれば、赤色蛍光体の相対含有量を１２５％〜２２０％の範囲とすれば、赤色表示時における輝度の改善効果が、比較実験１を上回るとともに、白色表示時における輝度効率の著しい低下を避けることができる、と言える。なお、赤色蛍光体の相対含有量は、赤色蛍光体による赤色光の相対発光量に比例する傾向にあることから、赤色光の相対発光量を１２５％〜２２０％の範囲とするのが好ましい、と言える。
【００７５】
一方、図２５及び図２７によれば、赤色蛍光体の相対含有量を多くするほど、赤色表示時における赤色色度のｘ値が増加してｙ値が減少する、という比較実験１と同様の傾向であることが分かる。このような傾向となる理由及びそれによってもたらされる効果（赤色表示時における赤色の色域がより拡張されて色再現性がより向上する効果など）は、実施形態１の比較実験１にて説明した通りである。そして、図２８及び図２９によれば、赤色蛍光体の含有量を１８０％とすれば、赤色蛍光体の含有量が１００％の場合に比べると、赤色の色域が拡張されていることが分かる。このように、赤色蛍光体の相対含有量が多くなれば、赤色表示時における赤色の色域がより拡張されて色再現性がより向上することが分かる。なお、図２５によれば、赤色蛍光体の含有量を１８０％としたとき、赤色表示時の相対輝度が１４６％となっていて、比較実験１の実験結果（１４１％）よりもさらに高い輝度向上効果が得られている、と言える。
【００７６】
以上説明したように本実施形態によれば、液晶パネル１１１は、複数の画素部ＰＸＲ，ＰＸＧ，ＰＸＢ，ＰＸＹが４つ以上の異なる色を呈するよう構成されている。このようにすれば、仮に画素部ＰＸＲ，ＰＸＧ，ＰＸＢが３つの異なる色を呈する構成とした場合に比べると、各画素部ＰＸＲ，ＰＸＧ，ＰＸＢ，ＰＸＹの面積比率が低くなるので、バックライト装置の照明光に含まれる赤色の光に係る発光量が多くされるのに伴う、赤色の表示時における赤色に係る輝度の増加率が相対的に大きくなる。
【００７７】
また、バックライト装置は、照明光を基準白色光とするのに要する複数の色の光に係る各発光量をそれぞれ１００％としたとき、赤色の光に係る発光量が１２５％〜２２０％の範囲となるよう構成される。仮に赤色の光に係る発光量が１２５％を下回る場合には、赤色の表示時における輝度の改善効果が、画素部ＰＸＲ，ＰＸＧ，ＰＸＢが３つの異なる色を呈する構成とした場合と同等程度となるおそれがあり、逆に赤色の光に係る発光量が２２０％を上回る場合には、白色表示時における輝度効率が著しく低下するおそれがある。その点、赤色の光に係る発光量を１２５％〜２２０％の範囲とすることで、赤色の表示時における輝度の改善効果が、画素部ＰＸＲ，ＰＸＧ，ＰＸＢが３つの異なる色を呈する構成とした場合を上回るとともに、白色表示時における輝度効率の著しい低下を避けることができる。
【００７８】
また、液晶パネル１１１は、複数の画素部ＰＸＲ，ＰＸＧ，ＰＸＢ，ＰＸＹが、赤色を呈する赤色画素部ＰＸＲ、緑色を呈する緑色画素部ＰＸＧ、青色を呈する青色画素部ＰＸＢ、及び黄色を呈する黄色画素部ＰＸＹを少なくとも含むよう構成されており、バックライト装置は、複数の色の光に赤色の光、緑色の光、及び青色の光を少なくとも含むとともに第１の色の光が赤色の光とされ、コントロール基板は、赤色画素部ＰＸＲを第１の画素部として制御している。このような構成の液晶パネル１１１では、複数の画素部ＰＸＲ，ＰＸＧ，ＰＸＢ，ＰＸＹを構成する黄色画素部ＰＸＹが、黄色の光、つまり緑色の光と赤色の光とを透過するものとされる。バックライト装置の照明光は、基準白色光よりも第１の色である赤色の色味がかかった光となっていることから、仮に基準白色光を用いた場合に比べると、黄色の表示時における黄色に係る色度が赤色寄りにシフトすることになる。これにより、色再現範囲を拡張する上でより好適となる。
【００７９】
＜実施形態３＞
本発明の実施形態３を図３０または図３１によって説明する。この実施形態３では、上記した実施形態１からＬＥＤ２１７の構成を変更し、光学シート２１５ｂに波長変換シート２４を追加したものを示す。なお、上記した実施形態１と同様の構造、作用及び効果について重複する説明は省略する。
【００８０】
本実施形態に係る光学シート２１５ｂには、図３０に示すように、マイクロレンズシート２１５ｂ１、プリズムシート２１５ｂ２及び反射型偏光シート２１５ｂ３に加えて、波長変換シート（波長変換部材）２４が含まれている。波長変換シート２４は、マイクロレンズシート２１５ｂ１に対して裏側（ＬＥＤ２１７に近い側）に積層する形で配されており、マイクロレンズシート２１５ｂ１と拡散板２１５ａとの間に介在する配置とされる。すなわち、波長変換シート２４は、ＬＥＤ２１７に対して表側、つまり出光経路の出口側に配され、ＬＥＤ２１７からの光を波長変換するものとされる。波長変換シート２４は、ＬＥＤ２１７からの光を波長変換するための物質として蛍光体を含有している。これに伴い、ＬＥＤ２１７は、図３１に示すように、封止材２２２に蛍光体を含有しない構成とされる。これにより、ＬＥＤ２１７は、その発光光が、青色ＬＥＤ素子２２１の発光光、つまり青色の単色光とされている。そして、波長変換シート２４には、ＬＥＤ２１７からの青色光の一部を赤色光に波長変換する赤色蛍光体と、ＬＥＤ２１７からの青色光の一部を緑色光に波長変換する緑色蛍光体と、が含まれている。従って、本実施形態に係るバックライト装置２１２の照明光は、ＬＥＤ２１７から発せられる一次光である青色光と、波長変換シート２４の赤色蛍光体及び緑色蛍光体（波長変換物質）により波長変換された二次光である赤色光及び緑色光と、の加法混色によって概ね白色を呈していて所定の色温度または相関色温度を有するようになっている。
【００８１】
波長変換シート２４は、赤色蛍光体及び緑色蛍光体を含有する波長変換層（蛍光体フィルム）と、波長変換層を表裏から挟み込んでこれを保護する一対の保護層（保護フィルム）と、を少なくとも有している。波長変換層には、ＬＥＤ２１７からの青色の単色光を励起光として、赤色光を発する赤色蛍光体と、緑色光を発する緑色蛍光体と、が分散配合されている。これにより、波長変換シート２４は、ＬＥＤ２１７の発光光（青色光、一次光）をその色味（青色）に対して補色となる色味（黄色）を呈する二次光（緑色光及び赤色光）に波長変換するものとされる。波長変換層は、ほぼ透明な合成樹脂製でフィルム状をなす基材（蛍光体担体）に、赤色蛍光体及び緑色蛍光体を分散配合した蛍光体層を塗布してなるものとされる。保護層は、ほぼ透明な合成樹脂製でフィルム状をなしており、防湿性などに優れるものとされる。
【００８２】
このように、各色の蛍光体は、励起波長が蛍光波長よりも短波長とされるダウンコンバージョン型（ダウンシフティング型）とされている。このダウンコンバージョン型の蛍光体は、相対的に短波長で且つ高いエネルギーを持つ励起光を、相対的に長波長で且つ低いエネルギーを持つ蛍光光に変換するものとされる。従って、仮に励起波長が蛍光波長よりも長波長とされるアップコンバージョン型の蛍光体を用いた場合（量子効率が例えば２８％程度）に比べると、量子効率（光の変換効率）が３０％〜５０％程度と、より高いものとなっている。各色の蛍光体は、それぞれ量子ドット蛍光体（Quantum Dot Phosphor）とされる。量子ドット蛍光体は、ナノサイズ（例えば直径２ｎｍ〜１０ｎｍ程度）の半導体結晶中に電子・正孔や励起子を三次元空間全方位で閉じ込めることで、離散的エネルギー準位を有しており、そのドットのサイズを変えることで発光光のピーク波長（発光色）などを適宜に選択することが可能とされる。この量子ドット蛍光体の発光光（蛍光光）は、その発光スペクトルにおけるピークが急峻となってその半値幅が狭くなることから、色純度が極めて高くなるとともにその色域が広いものとなる。量子ドット蛍光体の材料としては、２価の陽イオンになるＺｎ、Ｃｄ、Ｈｇ、Ｐｂ等と２価の陰イオンになるＯ、Ｓ、Ｓｅ、Ｔｅ等とを組み合わせた材料（ＣｄＳｅ（セレン化カドミウム）、ＺｎＳ（硫化亜鉛）等）、３価の陽イオンとなるＧａ、Ｉｎ等と３価の陰イオンとなるＰ、Ａｓ、Ｓｂ等とを組み合わせた材料（ＩｎＰ（リン化インジウム）、ＧａＡｓ（ヒ化ガリウム）等）、さらにはカルコパイライト型化合物（ＣｕＩｎＳｅ2等）などがある。本実施形態では、量子ドット蛍光体の材料として、上記のうちのＣｄＳｅとＺｎＳとを併用している。また、本実施形態において用いる量子ドット蛍光体は、いわゆるコア・シェル型量子ドット蛍光体とされる。コア・シェル型量子ドット蛍光体は、量子ドットの周囲を、比較的バンドギャップの大きな半導体物質からなるシェルによって被覆した構成とされる。具体的には、コア・シェル型量子ドット蛍光体として、シグマ  アルドリッチ  ジャパン合同会社の製品である「Lumidot（登録商標）  ＣｄＳｅ／ＺｎＳ」を用いるのが好ましい。
【００８３】
以上説明したように本実施形態によれば、バックライト装置２１２は、青色ＬＥＤ素子２２１を有するＬＥＤ２１７と、蛍光体を含有していてＬＥＤ２１７に対して出光経路の出口側に配されてＬＥＤ２１７の光を波長変換する波長変換シート（波長変換部材）２４と、を少なくとも有する。このようにすれば、ＬＥＤ２１７に対して出光経路の出口側に配される波長変換シート２４に蛍光体が含有されているので、ＬＥＤ２１７の青色ＬＥＤ素子２２１から発せられる熱によって蛍光体が性能劣化し難いものとなる。また、波長変換シート２４に蛍光体を含有させるに際して、例えば蛍光体を高いシール性でもって封止する手段を採るのが容易となるので、吸湿などによる性能劣化が懸念される蛍光体を使用する上で好適となる。
【００８４】
また、蛍光体は、量子ドット蛍光体とされる。このようにすれば、波長変換シート２４による光の波長変換効率がより高いものとなるとともに、波長変換された光の色純度が高いものとなる。また、例えば波長変換シート２４に量子ドット蛍光体を高いシール性でもって封止する手段を採るようにすれば、量子ドット蛍光体が吸湿などによって性能劣化し難いものとなって好適である。
【００８５】
＜実施形態４＞
本発明の実施形態４を図３２または図３３によって説明する。この実施形態４では、上記した実施形態１からバックライト装置３１２をエッジライト型に変更したものを示す。なお、上記した実施形態１と同様の構造、作用及び効果について重複する説明は省略する。
【００８６】
本実施形態に係る液晶表示装置３１０は、図３２に示すように、液晶パネル３１１と、エッジライト型のバックライト装置３１２と、をベゼル３１３などにより一体化した構成とされる。なお、液晶パネル３１１の構成は、上記した実施形態１と同様であるから、重複する説明は省略する。以下、エッジライト型のバックライト装置３１２の構成について説明する。
【００８７】
バックライト装置３１２は、図３２に示すように、表側側（液晶パネル３１１側）に向けて開口する光出射部３１４ｂを有した略箱型をなすシャーシ３１４と、シャーシ３１４の光出射部３１４ｂを覆う形で配される光学部材３１５と、を備える。さらに、シャーシ３１４内には、光源であるＬＥＤ３１７と、ＬＥＤ３１７が実装されたＬＥＤ基板３１８と、ＬＥＤ３１７からの光を導光して光学部材３１５（液晶パネル３１１）へと導く導光板２５と、導光板２５を表側から押さえるフレーム３１６と、が備えられる。そして、このバックライト装置３１２は、その長辺側の両端部にＬＥＤ３１７を有するＬＥＤ基板３１８をそれぞれ備えるとともに、両ＬＥＤ基板３１８間に挟まれた中央側に導光板２５を配置してなる、いわゆるエッジライト型（サイドライト型）とされている。このように本実施形態に係るバックライト装置３１２は、エッジライト型であるから、実施形態１のような直下型のバックライト装置１２に比べると、薄型化を図る上で好適とされる。また、本実施形態に係るエッジライト型のバックライト装置３１２は、実施形態１にて示した直下型のバックライト装置１２で用いていた反射シート２０などが備えられていない。続いて、バックライト装置３１２の各構成部品について詳しく説明する。
【００８８】
シャーシ３１４は、金属製とされ、図３２及び図３３に示すように、液晶パネル３１１と同様に横長の方形状をなす底板部３１４ａと、底板部３１４ａの各辺の外端からそれぞれ立ち上がる側板部３１４ｃとからなり、全体としては表側に向けて開口した浅い略箱型をなしている。シャーシ３１４（底板部３１４ａ）は、その長辺方向がＸ軸方向（水平方向）と一致し、短辺方向がＹ軸方向（鉛直方向）と一致している。また、側板部３１４ｃには、フレーム３１６及びベゼル３１３が固定可能とされる。
【００８９】
光学部材３１５は、図３２及び図３３に示すように、３枚の光学シート３１５ｂにより構成されており、上記した実施形態１とは拡散板１５ａを備えない点を除いては同様である。フレーム３１６は、図３２に示すように、導光板２５の外周縁部に沿って延在する枠状部（額縁状部）３１６ａを有しており、その枠状部３１６ａにより導光板２５の外周縁部をほぼ全周にわたって表側から押さえることが可能とされる。フレーム３１６の枠状部３１６ａのうち両長辺部分における裏側の面、つまり導光板２５及びＬＥＤ基板３１８（ＬＥＤ３１７）との対向面には、図３３に示すように、光を反射させる第１反射シート２６がそれぞれ取り付けられている。第１反射シート２６は、枠状部３１６ａの長辺部分におけるほぼ全長にわたって延在する大きさを有しており、導光板２５におけるＬＥＤ３１７側の端部に直接当接されるとともに導光板２５の上記端部とＬＥＤ基板３１８とを一括して表側から覆うものとされる。フレーム３１６は、導光板２５を表側から押さえる枠状部３１６ａによって光学部材３１５の外周縁部を裏側から支持するものとされ、それにより光学部材３１５が後述する導光板２５の光出射面２５ａとの間に所定の間隔（空気層）を空けた形で支持される。さらには、フレーム３１６は、枠状部３１６ａから表側に向けて突出するとともに、液晶パネル３１１における外周縁部を裏側から支持する液晶パネル支持部３１６ｂを有している。
【００９０】
ＬＥＤ３１７は、上記した実施形態１と同様の構成であるから、重複する説明は省略する。ＬＥＤ基板３１８は、図３２に示すように、シャーシ３１４の長辺方向（Ｘ軸方向、導光板２５における光入射面２５ｂの長手方向）に沿って延在する細長い板状をなすとともに、その板面をＸ軸方向及びＺ軸方向に並行した姿勢、つまり液晶パネル３１１及び導光板２５（光学部材３１５）の板面と直交させた姿勢でシャーシ３１４内に収容されている。ＬＥＤ基板３１８は、導光板２５をその短辺方向（Ｙ軸方向）の両側方から挟み込む形で対をなす形で設置されている。ＬＥＤ基板３１８の板面であって内側、つまり導光板２５側を向いた面（導光板２５との対向面）には、ＬＥＤ３１７が実装されている。ＬＥＤ３１７は、ＬＥＤ基板３１８の実装面３１８ａにおいて、その長さ方向（Ｘ軸方向）に沿って複数が一列に（直線的に）並んで配置されている。従って、ＬＥＤ３１７は、バックライト装置３１２における長辺側の両端部においてそれぞれ長辺方向に沿って複数ずつ並んで配置されていると言える。各ＬＥＤ基板３１８に実装された複数のＬＥＤ３１７は、基板配線部（図示せず）によって直列接続されている。各ＬＥＤ基板３１８は、ＬＥＤ３１７の実装面３１８ａが互いに対向状をなす姿勢でシャーシ３１４内に収容されているので、両ＬＥＤ基板３１８にそれぞれ実装された各ＬＥＤ３１７の発光面３１７ａが対向状をなすとともに、各ＬＥＤ３１７における光軸がＹ軸方向とほぼ一致する。
【００９１】
導光板２５は、屈折率が空気よりも十分に高く且つほぼ透明な（透光性に優れた）合成樹脂材料（例えばＰＭＭＡなどのアクリル樹脂材料など）からなる。導光板２５は、図３２に示すように、液晶パネル３１１及びシャーシ３１４と同様に平面に視て横長の方形状をなしており、その長辺方向がＸ軸方向と、短辺方向がＹ軸方向とそれぞれ一致している。導光板２５は、シャーシ３１４内において液晶パネル３１１及び光学部材３１５の直下位置に配されており、シャーシ３１４における長辺側の両端部に配された一対のＬＥＤ基板３１８間にＹ軸方向について挟み込まれる形で配されている。従って、ＬＥＤ３１７（ＬＥＤ基板３１８）と導光板２５との並び方向がＹ軸方向と一致するのに対して、光学部材３１５（液晶パネル３１１）と導光板２５との並び方向がＺ軸方向と一致しており、両並び方向が互いに直交するものとされる。そして、導光板２５は、ＬＥＤ３１７からＹ軸方向に向けて発せられた光を導入するとともに、その光を内部で伝播させつつ光学部材３１５側（Ｚ軸方向）へ向くよう立ち上げて出射させる機能を有する。
【００９２】
導光板２５の板面のうち、表側を向いた板面が、図３３に示すように、内部の光を光学部材３１５及び液晶パネル３１１に向けて出射させる光出射面（出光板面）２５ａとなっている。導光板２５における板面に対して隣り合う外周端面のうち、Ｘ軸方向に沿って長手状をなす長辺側の両端面は、それぞれＬＥＤ３１７（ＬＥＤ基板３１８）と所定の間隔を空けて対向状をなしており、これらがＬＥＤ３１７から発せられた光が入射される光入射面（入光端面）２５ｂとなっている。光入射面２５ｂは、Ｘ軸方向及びＺ軸方向に沿って並行する面とされ、光出射面２５ａに対して略直交する面とされる。導光板２５における光出射面２５ａとは反対側の反対板面２５ｃには、導光板２５内の光を反射して表側へ立ち上げることが可能な第２反射シート２７がその全域を覆う形で設けられている。第２反射シート２７は、平面に視てＬＥＤ基板３１８（ＬＥＤ３１７）と重畳する範囲にまで拡張されるとともに、表側の第１反射シート２６との間でＬＥＤ基板３１８（ＬＥＤ３１７）を挟み込む形で配されている。これにより、ＬＥＤ３１７からの光を両反射シート２６，２７間で繰り返し反射することで、光入射面２５ｂに対して効率的に入射させることができる。なお、導光板２５における光出射面２５ａまたは反対板面２５ｃの少なくともいずれか一方には、内部の光を反射させる反射部（図示せず）または内部の光を散乱させる散乱部（図示せず）が所定の面内分布を持つようパターニングされており、それにより光出射面２５ａからの出射光が面内において均一な分布となるよう制御されている。
【００９３】
＜実施形態５＞
本発明の実施形態５を図３４によって説明する。この実施形態５では、上記した実施形態４からＬＥＤ４１７の構成を変更し、光学シート４１５ｂに波長変換シート４２４を追加したものを示す。なお、上記した実施形態４と同様の構造、作用及び効果について重複する説明は省略する。
【００９４】
本実施形態に係る光学シート４１５ｂ（光学部材４１５）には、図３４に示すように、マイクロレンズシート４１５ｂ１、プリズムシート４１５ｂ２及び反射型偏光シート４１５ｂ３に加えて、波長変換シート４２４が含まれている。この波長変換シート４２４は、上記した実施形態３に記載されたものと同様のものであるから詳しい説明は割愛するが、ＬＥＤ４１７からの光を波長変換する物質である赤色蛍光体及び緑色蛍光体を含有している。波長変換シート４２４は、マイクロレンズシート４１５ｂ１に対して裏側（ＬＥＤ４１７に近い側）に積層する形で配されており、マイクロレンズシート４１５ｂ１と導光板４２５との間に介在する配置とされる。ＬＥＤ４１７は、蛍光体を含有しない構成であって青色の単色光を発するものとされており、上記した実施形態３に記載されたものと同様であるから詳しい説明は割愛する（図３１を参照）。従って、ＬＥＤ４１７から発せられた光は、導光板４２５の光入射面４２５ａに入射されてから導光板４２５内を伝播されてその光出射面４２５ａから出射されると、光出射面４２５ａを覆う形で配される波長変換シート４２４を透過する過程でその一部が赤色蛍光体及び緑色蛍光体によって赤色光及び緑色光に波長変換されることになる。これにより、本実施形態に係るバックライト装置４１２の照明光は、ＬＥＤ４１７から発せられる一次光である青色光と、波長変換シート４２４の赤色蛍光体及び緑色蛍光体により波長変換された二次光である赤色光及び緑色光と、の加法混色によって概ね白色を呈することとなり、所定の色温度または相関色温度を有するようになっている。
【００９５】
＜実施形態６＞
本発明の実施形態６を図３５によって説明する。この実施形態６では、上記した実施形態５に記載した波長変換シート４２４に代えて波長変換チューブ２８を用いた場合を示す。なお、上記した実施形態５と同様の構造、作用及び効果について重複する説明は省略する。
【００９６】
本実施形態に係る波長変換チューブ（波長変換部材）２８は、図３５に示すように、ＬＥＤ５１７と導光板５２５の光入射面５２５ｂとの間に介在する形、つまりＬＥＤ５１７に対して出光経路の出口側に配されており、ＬＥＤ５１７からの光を波長変換するものとされる。波長変換チューブ２８は、ＬＥＤ５１７からの光を波長変換するための物質として赤色蛍光体及び緑色蛍光体を含有している。波長変換チューブ２８は、導光板５２５の光入射面５２５ｂにおける長手方向（Ｘ軸方向）に沿って延在し、光入射面５２５ｂに対してほぼ全長にわたって対向状をなすとともに、ＬＥＤ基板５１８に実装された全てのＬＥＤ５１７に対して対向状をなす形で配されている。このような構成によれば、上記した実施形態５のように波長変換シート４２４が導光板４２５の光出射面４２５ａを覆う形で配した場合に比べると（図３４を参照）、波長変換チューブ２８に含有させる各蛍光体の含有量が少なく済むので、低コスト化を図る上でより好適となる。なお、本実施形態では、上記した実施形態４に記載した波長変換シート４２４（図３４を参照）に代えて波長変換チューブ２８を用いた構成であるから、光学シート５１５ｂ（光学部材５１５）は、マイクロレンズシート５１５ｂ１、プリズムシート５１５ｂ２及び反射型偏光シート５１５ｂ３の３枚から構成されている。
【００９７】
波長変換チューブ２８は、ほぼ透明で管状をなす容器（キャピラリ）２８ａと、容器２８ａ内に封入されて赤色蛍光体及び緑色蛍光体を含有する蛍光体含有部２８ｂと、から構成される。容器２８ａは、例えばガラス製とされ、内部に蛍光体含有部２８ｂが封入される空間が有されるよう空洞を有していて（中空で）、延在方向と直交する方向に沿って切断した断面形状が縦長の方形状をなしている。容器２８ａは、製造過程では長さ方向の一端側が開口しており、そこから蛍光体含有部２８ｂが内部空間に充填されるようになっている。そして、蛍光体含有部２８ｂの充填が完了したら、容器２８ａの開口部を閉塞することで、内部空間に充填された蛍光体含有部２８ｂを封止し、緑色蛍光体が吸湿などにより性能劣化するのが防がれるようになっている。蛍光体含有部２８ｂには、上記した実施形態１に記載した赤色蛍光体及び緑色蛍光体が所定の配合比率でもって分散配合されている。蛍光体含有部２８ｂは、Ｚ軸方向についての寸法が、ＬＥＤ５１７における同寸法（高さ寸法）よりも大きなものとされており、それによりＬＥＤ５１７から発せられた青色光の一部が赤色蛍光体及び緑色蛍光体によりそれぞれ効率的に赤色光及び緑色光に波長変換されるようになっている。
【００９８】
＜実施形態７＞
本発明の実施形態７を図３６によって説明する。この実施形態７では、上記した実施形態１からＬＥＤ６１７の構成を変更したものを示す。なお、上記した実施形態１と同様の構造、作用及び効果について重複する説明は省略する。
【００９９】
本実施形態に係るＬＥＤ６１７は、図３６に示すように、赤色、緑色、青色の各色の光をそれぞれ発する３つのＬＥＤ素子６２１，２９，３０を備えている。詳しくは、ＬＥＤ６１７は、青色の光を発する青色ＬＥＤ素子６２１と、緑色の光を発する緑色ＬＥＤ素子（緑色発光素子、発光素子）２９と、赤色の光を発する赤色ＬＥＤ素子（赤色発光素子、発光素子）３０と、これらのＬＥＤ素子６２１，２９，３０を封止する封止材６２２と、これらを収容するケース６２３と、を有している。従って、このＬＥＤ６１７は、上記した実施形態１に記載したもののような蛍光体を有さない構成とされる。これら３つのＬＥＤ素子６２１，２９，３０は、ケース６２３の底面の面内において所定の順序でもって並ぶ形で配されている。青色ＬＥＤ素子６２１は、上記した実施形態１に記載したものと同様である。緑色ＬＥＤ素子２９は、例えばＩｎＧａＮ、ＧａＰなどの半導体材料からなる半導体であり、順方向に電圧が印加されることで緑色の波長領域（約５００ｎｍ〜約５７０ｎｍ）に含まれる波長の緑色の単色光を発光するものとされる。赤色ＬＥＤ素子３０は、例えばＧａＰ、ＧａＡｓＰなどの半導体材料からなる半導体であり、順方向に電圧が印加されることで赤色の波長領域（約６００ｎｍ〜約７８０ｎｍ）に含まれる波長の赤色の単色光を発光するものとされる。これら緑色ＬＥＤ素子２９及び赤色ＬＥＤ素子３０の発光光は、上記した実施形態１のように封止材２２中に緑色蛍光体及び赤色蛍光体を含有させた場合の蛍光光に比べると、色純度がより高いものとなっており、色再現性のさらなる向上を図る上で好適とされる。このようにＬＥＤ６１７は、その出射光に、青色ＬＥＤ素子６２１が発する青色光と、緑色ＬＥＤ素子２９が発する緑色光と、赤色ＬＥＤ素子３０が発する赤色光と、が含まれており、これらの３色の光の加法混色により発光光が全体として概ね白色を呈していて所定の色温度または相関色温度を有するようになっている。このＬＥＤ６１７の発光光は、上記した実施形態１と同様にそのままバックライト装置の照明光となる。
【０１００】
赤色ＬＥＤ素子３０は、少なくとも青色ＬＥＤ素子６２１及び緑色ＬＥＤ素子２９とは異なる駆動回路に接続されており、青色ＬＥＤ素子６２１及び緑色ＬＥＤ素子２９に比べると相対的に高い電流値（定電流駆動の場合）または高い点灯期間比率（ＰＷＭ駆動の場合）でもって駆動されるようになっている。なお、各ＬＥＤ素子６２１，２９，３０の駆動回路は、各ＬＥＤ素子６２１，２９，３０の素子特性が異なることから、全て独立させるのが好ましいものとされるが、青色ＬＥＤ素子６２１及び緑色ＬＥＤ素子２９に関しては必ずしもその限りではない。
【０１０１】
そして、本実施形態に係るバックライト装置は、液晶パネルに照射され照明光を基準白色光とするために要する各ＬＥＤ素子６２１，２９，３０に係る各発光量を基準としたとき、赤色光を発する赤色ＬＥＤ素子３０に係る発光量が相対的に多くなるよう構成される。その上で、コントロール基板は、白色表示時には液晶パネルにおける３色の画素部のうち赤色画素部の階調値が他の色である緑色画素部及び青色画素部の階調値よりも小さくなり、赤色表示時には緑色画素部及び青色画素部の階調値が白色表示時よりも小さく赤色画素部の階調値が白色表示時よりも大きくなるよう制御している。このような構成によれば、バックライト装置の照明光は、基準白色光よりも赤色の色味がかかった光となるため、液晶パネルにおいて白色表示時にはコントロール基板により赤色画素部の階調値が、緑色画素部及び青色画素部の階調値よりも小さくなるよう制御されることで、白色の表示を行うことができる。一方、液晶パネルにおいて赤色表示時には、コントロール基板により緑色画素部及び青色画素部の階調値が白色表示時よりも小さく、赤色画素部の階調値が白色表示時よりも大きくなるよう制御される。これにより、赤色表示時における輝度が高くなるとともにその色再現範囲が広いものとなる。
【０１０２】
以上説明したように本実施形態によれば、バックライト装置は、複数の色の光をそれぞれ発する複数のＬＥＤ素子（発光素子）６２１，２９，３０を少なくとも有しており、バックライト装置は、照明光を基準白色光とするために要する複数のＬＥＤ素子６２１，２９，３０に係る各発光量を基準としたとき、赤色の光を発する赤色ＬＥＤ素子（第１の発光素子）３０に係る発光量が相対的に多くなるよう構成される。このようにすれば、複数のＬＥＤ素子６２１，２９，３０から発せられる複数の色の光によってバックライト装置の照明光が構成される。そして、複数のＬＥＤ素子６２１，２９，３０に含まれる赤色ＬＥＤ素子３０に係る発光量が、照明光を基準白色光とするために要する各ＬＥＤ素子６２１，２９，３０に係る各発光量の基準値よりも多くなっている。仮に、バックライト装置が、１つのＬＥＤ素子と、そのＬＥＤ素子の光を波長変換する蛍光体と、からなるＬＥＤを備える構成とした場合に比べると、各ＬＥＤ素子６２１，２９，３０から発せられる各色の光に係る色純度がより高いものとなり、色再現性の向上を図る上で好適とされる。
【０１０３】
＜他の実施形態＞
本発明は上記記述及び図面によって説明した実施形態に限定されるものではなく、例えば次のような実施形態も本発明の技術的範囲に含まれる。
（１）上記した各実施形態以外にも、白色表示を行う際における各画素部の階調値の具体的な数値は、適宜に変更可能である。
【０１０４】
（２）上記した各実施形態では、赤色表示を行う際に、他の色を呈する画素部（緑色画素部、青色画素部、黄色画素部）の階調値を最小値の「０」とした場合を示したが、他の色を呈する画素部の階調値を０よりも大きな値とすることも可能である。これは、青色表示時、緑色表示時、黄色表示時においても同様である。
【０１０５】
（３）上記した各実施形態では、赤色表示を行う際に、表示色と同色の画素部である赤色画素部の階調値を最大値の「２５５」とした場合を示したが、赤色画素部の階調値を２５５よりも小さい値とすることも可能である。これは、青色表示時、緑色表示時、黄色表示時においても同様である。
【０１０６】
（４）上記した各実施形態では、バックライト装置の照明光を基準白色光とするために要する３色の光に係る各発光量を基準としたとき、赤色光に係る発光量を相対的に多くした上で、コントロール基板により白色表示時には赤色画素部の階調値を他の色を呈する画素部の階調値よりも小さくし、赤色表示時には赤色画素部の階調値が白色表示時よりも大きくなるよう制御した場合を示したが、照明光に含まれる緑色光または青色光の発光量を基準発光量（発光量の基準値）よりも多くし、コントロール基板により白色表示時には緑色画素部または青色画素部の階調値を他の色を呈する画素部の階調値よりも小さくし、緑色表示時または青色表示時には緑色画素部または青色画素部の階調値が白色表示時よりも大きくなるよう制御することも可能である。
【０１０７】
（５）上記した（４）以外にも、照明光に含まれる赤色光及び緑色光の発光量を基準発光量よりも多くし、コントロール基板により白色表示時には赤色画素部及び緑色画素部の階調値を青色画素部の階調値よりも小さくし、赤色表示時と緑色表示時とには赤色画素部と緑色画素部との階調値が白色表示時よりもそれぞれ大きくなるよう制御することも可能である。
【０１０８】
（６）上記した（５）以外にも、照明光に含まれる赤色光及び青色光の発光量を基準発光量よりも多くし、コントロール基板により白色表示時には赤色画素部及び青色画素部の階調値を緑色画素部の階調値よりも小さくし、赤色表示時と青色表示時とには赤色画素部と青色画素部との階調値が白色表示時よりもそれぞれ大きくなるよう制御することも可能である。
【０１０９】
（７）上記した（６）以外にも、照明光に含まれる緑色光及び青色光の発光量を基準発光量よりも多くし、コントロール基板により白色表示時には緑色画素部及び青色画素部の階調値を赤色画素部の階調値よりも小さくし、緑色表示時と青色表示時とには緑色画素部と青色画素部との階調値が白色表示時よりもそれぞれ大きくなるよう制御することも可能である。
【０１１０】
（８）上記した各実施形態では、３色または４色の画素部を備える液晶パネルを用いた場合を示したが、５色以上の画素部を備える液晶パネルを用いることも可能である。５色以上の画素部には、例えば赤色画素部、緑色画素部、青色画素部及び黄色画素部に加えてシアン色を呈するシアン画素部を含ませるのが好ましいものとされる。シアン色以外の色を呈する画素部を追加することも勿論可能である。
【０１１１】
（９）上記した実施形態２では、赤色画素部、緑色画素部、青色画素部及び黄色画素部の４色の画素部を備える液晶パネルを用いた場合を示したが、黄色画素部に代えてシアン色を呈するシアン画素部を備えた液晶パネルを用いることも可能である。シアン色以外の色を呈する画素部を黄色画素部に代替して設置することも勿論可能である。それ以外にも、黄色画素部に代えて全可視光線を透過するほぼ透明な透明画素部を備えた液晶パネルを用いることも可能である。
【０１１２】
（１０）上記した各実施形態以外にも、液晶パネルの面内における各色の画素部の具体的な並び順や各色の画素部の具体的な面積比率などは、適宜に変更可能である。
【０１１３】
（１１）上記した実施形態１，２，４以外にも、ＬＥＤに備えられる青色ＬＥＤ素子、赤色蛍光体及び緑色蛍光体の発光スペクトル（ピーク波長の数値、ピークの半値幅の数値など）に関しては、適宜に変更することが可能である。この点は、実施形態３，５〜７に記載した波長変換シート及び波長変換チューブに含有される赤色蛍光体及び緑色蛍光体やＬＥＤに備えられる緑色ＬＥＤ素子及び赤色ＬＥＤ素子に関しても同様である。
【０１１４】
（１２）上記した各実施形態では、ＬＥＤ、波長変換シート及び波長変換チューブがそれぞれ緑色蛍光体及び赤色蛍光体を含む構成とされる場合を示したが、ＬＥＤ、波長変換シート及び波長変換チューブに黄色蛍光体のみを含ませた構成としたり、黄色蛍光体に加えて赤色蛍光体や緑色蛍光体を含ませた構成としたりすることも可能である。
【０１１５】
（１３）上記した各実施形態では、ＬＥＤが少なくとも青色ＬＥＤ素子を備える構成を示したが、青色ＬＥＤ素子に代えて可視光線である紫色の光を発する紫色ＬＥＤ素子を備えたＬＥＤや紫外線（例えば近紫外線）を発する紫外線ＬＥＤ素子（近紫外線ＬＥＤ素子）などを用いることも可能である。その場合、ＬＥＤ、波長変換シート及び波長変換チューブに含有させる蛍光体としては、赤色蛍光体、緑色蛍光体及び青色蛍光体を用いるのが好ましいものとされる。この場合、黄色蛍光体を追加したり、或いは赤色蛍光体及び緑色蛍光体に代えて黄色蛍光体としたりすることも可能である。
【０１１６】
（１４）上記した実施形態２に記載した構成を、実施形態３〜７に記載した構成に組み合わせることも可能である。
【０１１７】
（１５）上記した実施形態４に記載した構成を、実施形態７に記載した構成に組み合わせることも可能である。
【０１１８】
（１６）上記した実施形態３，５，６では、波長変換シート及び波長変換チューブに含まれる蛍光体として用いた量子ドット蛍光体をＣｄＳｅ及びＺｎＳからなるコア・シェル型とした場合を例示したが、内部組成を単一組成としたコア型量子ドット蛍光体を用いることも可能である。例えば、２価の陽イオンになるＺｎ、Ｃｄ、Ｈｇ、Ｐｂ等と２価の陰イオンになるＯ、Ｓ、Ｓｅ、Ｔｅ等とを組み合わせた材料（ＣｄＳｅ、ＣｄＳ、ＺｎＳ）を単独で用いることが可能である。さらには、３価の陽イオンとなるＧａ、Ｉｎ等と３価の陰イオンとなるＰ、Ａｓ、Ｓｂ等とを組み合わせた材料（ＩｎＰ（リン化インジウム）、ＧａＡｓ（ヒ化ガリウム）等）やカルコパイライト型化合物（ＣｕＩｎＳｅ2等）などを単独で用いることも可能である。また、コア・シェル型やコア型の量子ドット蛍光体以外にも、合金型の量子ドット蛍光体を用いることも可能である。また、カドミウムを含有しない量子ドット蛍光体を用いることも可能である。
【０１１９】
（１７）上記した実施形態３，５，６では、波長変換シート及び波長変換チューブに含まれる蛍光体として用いた量子ドット蛍光体をＣｄＳｅ及びＺｎＳのコア・シェル型とした場合を例示したが、他の材料同士を組み合わせてなるコア・シェル型の量子ドット蛍光体を用いることも可能である。また、波長変換シートに含まれる蛍光体として用いた量子ドット蛍光体を、Ｃｄ（カドミウム）を含有しない量子ドット蛍光体とすることも可能である。
【０１２０】
（１８）上記した各実施形態以外にも、ＬＥＤ、波長変換シート及び波長変換チューブに含有させる蛍光体として硫化物蛍光体を用いることができ、具体的には緑色蛍光体としてＳｒＧａ2Ｓ4：Ｅｕ2+を、赤色蛍光体として（Ｃａ，Ｓｒ，Ｂａ）Ｓ：Ｅｕ2+を、それぞれ用いることが可能である。
【０１２１】
（１９）上記した（１８）以外にも、ＬＥＤ、波長変換シート及び波長変換チューブに含有させる緑色蛍光体を、(Ｃａ，Ｓｒ，Ｂａ) 3ＳｉＯ4：Ｅｕ2+、Ｃａ3Ｓｃ2Ｓｉ3Ｏ12：Ｃｅ3+などとすることができる。また、ＬＥＤ、波長変換シート及び波長変換チューブに含有させる赤色蛍光体を、(Ｃａ，Ｓｒ，Ｂａ) 2ＳｉＯ5Ｎ8：Ｅｕ2+、ＣａＡｌＳｉＮ3：Ｅｕ2+などとすることができる。さらには、ＬＥＤ、波長変換シート及び波長変換チューブに含有させる黄色蛍光体を、(Ｙ，Ｇｄ) 3 (Ａｌ，Ｇａ) 5Ｏ12：Ｃｅ3+（通称 ＹＡＧ：Ｃｅ3+）、α−ＳｉＡｌＯＮ：Ｅｕ2+、(Ｃａ，Ｓｒ，Ｂａ)3ＳｉＯ4：Ｅｕ2+などとすることができる。
【０１２２】
（２０）上記した（１８），（１９）以外にも、ＬＥＤ、波長変換シート及び波長変換チューブに含有させる蛍光体として有機蛍光体を用いることができる。有機蛍光体としては、例えばトリアゾールまたはオキサジアゾールを基本骨格とした低分子の有機蛍光体を用いることができる。
【０１２３】
（２１）上記した（１９），（１９），（２０）以外にも、ＬＥＤ、波長変換シート及び波長変換チューブに含有させる蛍光体としてドレスト光子（近接場光）を介したエネルギー移動によって波長変換を行う蛍光体を用いることも可能である。この種の蛍光体としては、具体的には、直径３ｎｍ〜５ｎｍ（好ましくは４ｎｍ程度）の酸化亜鉛量子ドット（ＺｎＯ−ＱＤ）にＤＣＭ色素を分散・混合させた構成の蛍光体を用いるのが好ましい。
【０１２４】
（２２）上記した各実施形態では、ＬＥＤを構成する青色ＬＥＤ素子の材料としてＩｎＧａＮを用いた場合を示したが、他のＬＥＤ素子の材料として、例えばＧａＮ、ＡｌＧａＮ、ＧａＰ、ＺｎＳｅ、ＺｎＯ、ＡｌＧａＩｎＰなどを用いることも可能である。また、実施形態７において、ＬＥＤを構成する緑色ＬＥＤ素子や赤色ＬＥＤ素子の具体的な材料も適宜に変更可能である。
【０１２５】
（２３）上記した各実施形態では、シャーシが金属製とされた場合を例示したが、シャーシを合成樹脂製とすることも可能である。
【０１２６】
（２４）上記した各実施形態では、３枚または４枚の光学部材を備える構成を例示したが、光学部材の枚数を２枚以下または５枚以上に変更することも可能である。また、使用する光学部材の種類についても適宜に変更可能であり、例えば拡散シートなどを用いることも可能である。また、各光学部材の具体的な積層順についても適宜に変更可能である。
【０１２７】
（２５）上記した実施形態１〜３では、ＬＥＤを個別に覆う形で配される拡散レンズを備えたものを示したが、拡散レンズを省略した構成のものにも本発明は適用可能である。
【０１２８】
（２６）上記した実施形態１〜３では、拡散板と光学シートとの間にフレームが介在する構成を示したが、光学シートが拡散板に対して表側に直接積層される構成を採ることも可能である。その場合、フレームを省略することも可能である。なお、実施形態３では、波長変換シートが拡散板に対して表側に直接積層され、波長変換シートに対して他の光学シートが表側に直接積層される構成となる。
【０１２９】
（２７）上記した実施形態１〜３以外にも、シャーシ内におけるＬＥＤ基板の具体的な設置数、ＬＥＤ基板におけるＬＥＤ及び拡散レンズの具体的な実装数などは適宜に変更可能である。例えば、シャーシの底板部の板面内においてＬＥＤ基板がマトリクス状に複数ずつ並んで配置されていてもよく、またＬＥＤ基板の実装面内においてＬＥＤがマトリクス状に複数ずつ並んで配置されていても構わない。
【０１３０】
（２８）上記した実施形態４〜６では、導光板と光学シートとの間にフレームが介在する構成を示したが、光学シートが導光板に対して表側に直接積層される構成を採ることも可能である。その場合、フレームの枠状部が光学シート群を表側から押さえる形で配されるとともに、枠状部によって液晶パネルを裏側から支持する構成を採ることが可能である。なお、実施形態５では、波長変換シートが導光板に対して表側に直接積層され、波長変換シートに対して他の光学シートが表側に直接積層される構成となる。
【０１３１】
（２９）上記した実施形態４〜６では、導光板における一対の長辺側の端面がそれぞれ光入射面となるようＬＥＤ基板が配置されたものを示したが、導光板における一対の短辺側の端面がそれぞれ光入射面となるようＬＥＤ基板を配置することも可能である。
【０１３２】
（３０）上記した実施形態４〜６では、両側入光タイプのエッジライト型のバックライト装置を例示したが、導光板における一長辺側の端面または一短辺側の端面が光入射面となるようＬＥＤ基板が配置された片側入光タイプのエッジライト型のバックライト装置を用いることも可能である。
【０１３３】
（３１）上記した実施形態４〜６以外にも、導光板における３辺の端面がそれぞれ光入射面となるようＬＥＤ基板を配置したり、導光板における４辺の端面が全て光入射面となるようＬＥＤ基板を配置したりすることも可能である。
【０１３４】
（３２）上記した各実施形態では、光源としてＬＥＤを用いたものを示したが、有機ＥＬなどの他の光源を用いることも可能である。
【０１３５】
（３３）上記した各実施形態では、液晶パネル及びシャーシがその短辺方向を鉛直方向と一致させた縦置き状態とされるものを例示したが、液晶パネル及びシャーシがその長辺方向を鉛直方向と一致させた縦置き状態とされるものも本発明に含まれる。
【０１３６】
（３４）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【０１３７】
（３５）上記した各実施形態では、透過型の液晶表示装置を例示したが、それ以外にも反射型の液晶表示装置や半透過型の液晶表示装置にも本発明は適用可能である。
【０１３８】
（３６）上記した各実施形態では、表示パネルとして液晶パネルを用いた液晶表示装置を例示したが、ＭＥＭＳ（Micro Electro Mechanical Systems）表示パネルなどの他の種類の表示パネルを用いた表示装置にも本発明は適用可能である。
【０１３９】
（３７）上記した各実施形態では、チューナーを備えたテレビ受信装置を例示したが、チューナーを備えない表示装置にも本発明は適用可能である。具体的には、電子看板（デジタルサイネージ）や電子黒板として使用される液晶表示装置にも本発明は適用することができる。
【符号の説明】
【０１４０】
１０，１１０，３１０...液晶表示装置（表示装置）、１１，１１１，３１１...液晶パネル（表示パネル）、１２，２１２，３１２，４１２...バックライト装置（照明装置）、１７，２１７，３１７，４１７，５１７，６１７...ＬＥＤ（光源）、２１，２２１，６２１...青色ＬＥＤ素子（発光素子）、２２，２２２，６２２...封止材、２３，６２３...ケース、２４，４２４...波長変換シート（波長変換部材）、２８...波長変換チューブ（波長変換部材）、２９...緑色ＬＥＤ素子（発光素子）、３０...赤色ＬＥＤ素子（発光素子、第１の発光素子）、ＣＴＲ...コントロール基板（画素制御部）、ＰＸＢ...青色画素部（画素部、他の色を呈する画素部）、ＰＸＧ...緑色画素部（画素部、他の色を呈する画素部）、ＰＸＲ...赤色画素部（画素部、第１の画素部）、ＰＸＹ...黄色画素部（画素部、他の色を呈する画素部）
【図１】
2017002781.tif 000003
【図２】
2017002781.tif 000004
【図３】
2017002781.tif 000005
【図４】
2017002781.tif 000006
【図５】
2017002781.tif 000007
【図６】
2017002781.tif 000008
【図７】
2017002781.tif 000009
【図８】
2017002781.tif 000010
【図９】
2017002781.tif 000011
【図１０】
2017002781.tif 000012
【図１１】
2017002781.tif 000013
【図１２】
2017002781.tif 000014
【図１３】
2017002781.tif 000015
【図１４】
2017002781.tif 000016
【図１５】
2017002781.tif 000017
【図１６】
2017002781.tif 000018
【図１７】
2017002781.tif 000019
【図１８】
2017002781.tif 000020
【図１９】
2017002781.tif 000021
【図２０】
2017002781.tif 000022
【図２１】
2017002781.tif 000023
【図２２】
2017002781.tif 000024
【図２３】
2017002781.tif 000025
【図２４】
2017002781.tif 000026
【図２５】
2017002781.tif 000027
【図２６】
2017002781.tif 000028
【図２７】
2017002781.tif 000029
【図２８】
2017002781.tif 000030
【図２９】
2017002781.tif 000031
【図３０】
2017002781.tif 000032
【図３１】
2017002781.tif 000033
【図３２】
2017002781.tif 000034
【図３３】
2017002781.tif 000035
【図３４】
2017002781.tif 000036
【図３５】
2017002781.tif 000037
【図３６】
2017002781.tif 000038
【国際調査報告】
2017002781.tif 000039
2017002781.tif 000040